(57)【要約】【課題】著作権処理が必要な要素を含んでいる文書を出力する場合にあって、利用不要と指示された要素を加工して出力データを生成することができる画像処理装置を提供する。【解決手段】画像処理装置の取得手段は、文書を取得し、第１抽出手段は、取得した文書を構成する要素のうち、著作権処理が必要な要素を抽出し、第２抽出手段は、抽出した要素の著作権の利用条件を抽出し、受付手段は、抽出した要素毎に、該要素に対応する利用条件を提示し、該要素の利用の要否の指示を受け付け、提示手段は、利用要と指示された要素に対応する利用条件に含まれる料金を前記文書の出力の料金に加算して総額を提示し、出力手段は、前記総額が決済されると、利用不要と指示された要素を、該要素に対応する利用条件に応じた加工を行い、該要素と置き換えて出力データを生成して出力する。【選択図】図１
2020198015.tif 000002
【特許請求の範囲】
【請求項１】
文書を取得する取得手段と、
取得した文書を構成する要素のうち、著作権処理が必要な要素を抽出する第１抽出手段と、
抽出した要素の著作権の利用条件を抽出する第２抽出手段と、
抽出した要素毎に、該要素に対応する利用条件を提示し、該要素の利用の要否の指示を受け付ける受付手段と、
利用要と指示された要素に対応する利用条件に含まれる料金を前記文書の出力の料金に加算して総額を提示する提示手段と、
前記総額が決済されると、利用不要と指示された要素を、該要素に対応する利用条件に応じた加工を行い、該要素と置き換えて出力データを生成して出力する出力手段
を備えた画像処理装置。
【請求項２】
文書を構成する要素のうち、著作権処理が必要な要素毎に、該要素の利用の要否の指示を受け付ける受付手段と、
利用不要と指示された要素に対して加工を行い、該要素と置き換えて出力データを生成して出力する出力手段
を備えた画像処理装置。
【請求項３】
文書を識別する情報を受け付ける第１受付手段と、
前記情報で識別される文書を構成する要素のうち、著作権処理が必要な要素について著作権の利用条件を提示する第１提示手段と、
前記要素毎に、該要素の利用の要否の指示を受け付ける第２受付手段と、
利用要と指示された要素に対応する利用条件に含まれる料金を前記文書の出力の料金に加算して総額を提示する第２提示手段と、
前記総額を決済する決済手段と、
利用不要と指示された要素を、該要素に対応する利用条件に応じた加工を行い、該要素と置き換えて生成された出力データを出力する出力手段
を備えた画像処理装置。
【請求項４】
文書を指示する指示手段と、
前記指示された文書を構成する要素のうち、著作権処理が必要な要素について著作権の利用条件を提示する第１提示手段と、
著作権処理が必要な要素毎に、該要素の利用の要否の指示を受け付ける受付手段と、
利用要と指示された要素に対応する利用条件に含まれる料金を前記文書の出力の料金に加算して総額を提示する第２提示手段と、
前記指示された要素毎の利用の要否情報を含む前記文書に対する出力要求を生成し出力する出力手段
を備えた画像処理装置。
【請求項５】
前記文書を表示し、該文書内の著作権処理が必要な要素を他の要素と区別して表示する表示手段
をさらに備えた請求項３又は４に記載の画像処理装置。
【請求項６】
前記表示手段は、著作権処理が必要な前記要素の著作権の管理情報をともに表示する、
請求項５に記載の画像処理装置。
【請求項７】
前記管理情報として、著作権の管理番号、著作権の権利者情報、引用元情報、概要情報のいずれかを含む、
請求項６に記載の画像処理装置。
【請求項８】
前記第１提示手段は、前記著作権の利用条件として、著作権処理が必要な前記要素の出力に必要な料金を提示する、
請求項５に記載の画像処理装置。
【請求項９】
前記第２提示手段は、利用要と指示された要素の料金の総額を提示する、
請求項８に記載の画像処理装置。
【請求項１０】
前記出力手段は、利用不要と指示された要素について、該要素を削除する加工を行う、
請求項１に記載の画像処理装置。
【請求項１１】
前記出力手段は、利用不要と指示された要素について、該要素を劣化させる加工を行う、
請求項１に記載の画像処理装置。
【請求項１２】
前記出力手段は、利用不要と指示された要素について、該要素の著作権の管理情報に置き換える加工を行う、
請求項１に記載の画像処理装置。
【請求項１３】
前記出力手段は、利用要と指示された要素について、該要素の著作権の管理情報を付加する加工を行う、
請求項１に記載の画像処理装置。
【請求項１４】
前記受付手段は、要素を広告とともに出力するとの指示を受け付け可能とし、
前記出力手段は、要素を広告とともに出力するとの指示を受け付けた場合、該要素と広告を含めた出力データを生成する、
請求項１に記載の画像処理装置。
【請求項１５】
前記出力手段は、前記文書の余白部分に広告を配置した出力データを生成する、
請求項１４に記載の画像処理装置。
【請求項１６】
前記出力手段は、前記利用条件によって指示された加工方法で加工を行う、
請求項１に記載の画像処理装置。
【請求項１７】
前記加工方法として、利用不要と指示された前記要素に電子透かしを重畳する加工とする、
請求項１６に記載の画像処理装置。
【請求項１８】
前記加工方法として、該加工方法に指定された解像度へ変換する加工とする、
請求項１６に記載の画像処理装置。
【請求項１９】
コンピュータを、
文書を取得する取得手段と、
取得した文書を構成する要素のうち、著作権処理が必要な要素を抽出する第１抽出手段と、
抽出した要素の著作権の利用条件を抽出する第２抽出手段と、
抽出した要素毎に、該要素に対応する利用条件を提示し、該要素の利用の要否の指示を受け付ける受付手段と、
利用要と指示された要素に対応する利用条件に含まれる料金を前記文書の出力の料金に加算して総額を提示する提示手段と、
前記総額が決済されると、利用不要と指示された要素を、該要素に対応する利用条件に応じた加工を行い、該要素と置き換えて出力データを生成して出力する出力手段
として機能させるための画像処理プログラム。
【請求項２０】
コンピュータを、
文書を構成する要素のうち、著作権処理が必要な要素毎に、該要素の利用の要否の指示を受け付ける受付手段と、
利用不要と指示された要素に対して加工を行い、該要素と置き換えて出力データを生成して出力する出力手段
として機能させるための画像処理プログラム。
【請求項２１】
コンピュータを、
文書を識別する情報を受け付ける第１受付手段と、
前記情報で識別される文書を構成する要素のうち、著作権処理が必要な要素について著作権の利用条件を提示する第１提示手段と、
前記要素毎に、該要素の利用の要否の指示を受け付ける第２受付手段と、
利用要と指示された要素に対応する利用条件に含まれる料金を前記文書の出力の料金に加算して総額を提示する第２提示手段と、
前記総額を決済する決済手段と、
利用不要と指示された要素を、該要素に対応する利用条件に応じた加工を行い、該要素と置き換えて生成された出力データを出力する出力手段
として機能させるための画像処理プログラム。
【請求項２２】
コンピュータを、
文書を指示する指示手段と、
前記指示された文書を構成する要素のうち、著作権処理が必要な要素について著作権の利用条件を提示する第１提示手段と、
著作権処理が必要な要素毎に、該要素の利用の要否の指示を受け付ける受付手段と、
利用要と指示された要素に対応する利用条件に含まれる料金を前記文書の出力の料金に加算して総額を提示する第２提示手段と、
前記指示された要素毎の利用の要否情報を含む前記文書に対する出力要求を生成し出力する出力手段
として機能させるための画像処理プログラム。
【請求項２３】
文書を指示する指示手段と、
前記指示された文書を構成する要素のうち、著作権処理が必要な要素について著作権の利用条件を提示する第１提示手段と、
著作権処理が必要な要素毎に、該要素の利用の要否の指示を受け付ける第１受付手段と、
利用要と指示された要素に対応する利用条件に含まれる料金を前記文書の出力の料金に加算して総額を提示する第２提示手段と、
前記指示された要素毎の利用の要否情報を含む前記文書に対する出力要求を生成し、第２画像処理装置に出力する第１出力手段
を備えた第１画像処理装置と、
前記指示された文書を取得する取得手段と、
取得した文書を構成する要素のうち、著作権処理が必要な要素を抽出する第１抽出手段と、
抽出した要素の著作権の利用条件を抽出する第２抽出手段と、
抽出した要素毎に、該要素に対応する利用条件を提示し、該要素の利用の要否の指示を受け付ける第２受付手段と、
利用要と指示された要素に対応する利用条件に含まれる料金を前記文書の出力の料金に加算して総額を提示する第３提示手段と、
前記総額が決済されると、利用不要と指示された要素を、該要素に対応する利用条件に応じた加工を行い、該要素と置き換えて出力データを生成して、第３画像処理装置に出力する第２出力手段
を備えた第２画像処理装置と、
前記指示された文書を識別する情報を受け付ける第３受付手段と、
前記情報で識別される文書を構成する要素のうち、著作権処理が必要な要素について著作権の利用条件を提示する第４提示手段と、
前記要素毎に、該要素の利用の要否の指示を受け付ける第４受付手段と、
利用要と指示された要素に対応する利用条件に含まれる料金を前記文書の出力の料金に加算して総額を提示する第５提示手段と、
前記総額を決済する決済手段と、
利用不要と指示された要素を、該要素に対応する利用条件に応じた加工を行い、該要素と置き換えて生成された出力データを出力する第３出力手段
を備えた第３画像処理装置
を備えた画像処理システム。
【発明の詳細な説明】
【技術分野】
【０００１】
本発明は、画像処理装置、画像処理プログラム及び画像処理システムに関する。
【背景技術】
【０００２】
特許文献１には、消費者が同一の著作物から作成された異なるフォーマットのコンテンツを複数買う際に、著作物に対する対価を複数回に支払わなければならないという問題があり、さらに、コンテンツ作成者が、著作物からコンテンツを作成する際に、出版社や著者などの権利保有者と個別に権利関係の調整や契約が必要であり、その処理に時間と労力が必要という問題があることを課題とし、複数のフォーマットでコンテンツを利用することが可能な書籍購読権を管理する情報処理装置であって、著作物から作成されたコンテンツを登録する第一の登録手段と、前記著作物の権利保有者の承認の情報に基づき、書籍購読権による前記コンテンツの利用を承認する承認手段と、消費者の支払いの情報に基づき、当該消費者が前記書籍購読権を所持することを認証する認証手段と、を有することが開示されている。
【先行技術文献】
【特許文献】
【０００３】
【特許文献１】特開２０１７−００４１２２号公報
【発明の概要】
【発明が解決しようとする課題】
【０００４】
著作権処理が必要な要素を含んでいる文書をそのまま出力した場合、著作権を侵害するおそれがある。
本発明は、著作権処理が必要な要素を含んでいる文書を出力する場合にあって、利用不要と指示された要素を加工して出力データを生成することができる画像処理装置、画像処理プログラム及び画像処理システムを提供することを目的としている。
【課題を解決するための手段】
【０００５】
かかる目的を達成するための本発明の要旨とするところは、次の各項の発明に存する。
請求項１の発明は、文書を取得する取得手段と、取得した文書を構成する要素のうち、著作権処理が必要な要素を抽出する第１抽出手段と、抽出した要素の著作権の利用条件を抽出する第２抽出手段と、抽出した要素毎に、該要素に対応する利用条件を提示し、該要素の利用の要否の指示を受け付ける受付手段と、利用要と指示された要素に対応する利用条件に含まれる料金を前記文書の出力の料金に加算して総額を提示する提示手段と、前記総額が決済されると、利用不要と指示された要素を、該要素に対応する利用条件に応じた加工を行い、該要素と置き換えて出力データを生成して出力する出力手段を備えた画像処理装置である。
【０００６】
請求項２の発明は、文書を構成する要素のうち、著作権処理が必要な要素毎に、該要素の利用の要否の指示を受け付ける受付手段と、利用不要と指示された要素に対して加工を行い、該要素と置き換えて出力データを生成して出力する出力手段を備えた画像処理装置である。
【０００７】
請求項３の発明は、文書を識別する情報を受け付ける第１受付手段と、前記情報で識別される文書を構成する要素のうち、著作権処理が必要な要素について著作権の利用条件を提示する第１提示手段と、前記要素毎に、該要素の利用の要否の指示を受け付ける第２受付手段と、利用要と指示された要素に対応する利用条件に含まれる料金を前記文書の出力の料金に加算して総額を提示する第２提示手段と、前記総額を決済する決済手段と、利用不要と指示された要素を、該要素に対応する利用条件に応じた加工を行い、該要素と置き換えて生成された出力データを出力する出力手段を備えた画像処理装置である。
【０００８】
請求項４の発明は、文書を指示する指示手段と、前記指示された文書を構成する要素のうち、著作権処理が必要な要素について著作権の利用条件を提示する第１提示手段と、著作権処理が必要な要素毎に、該要素の利用の要否の指示を受け付ける受付手段と、利用要と指示された要素に対応する利用条件に含まれる料金を前記文書の出力の料金に加算して総額を提示する第２提示手段と、前記指示された要素毎の利用の要否情報を含む前記文書に対する出力要求を生成し出力する出力手段を備えた画像処理装置である。
【０００９】
請求項５の発明は、前記文書を表示し、該文書内の著作権処理が必要な要素を他の要素と区別して表示する表示手段をさらに備えた請求項３又は４に記載の画像処理装置である。
【００１０】
請求項６の発明は、前記表示手段は、著作権処理が必要な前記要素の著作権の管理情報をともに表示する、請求項５に記載の画像処理装置である。
【００１１】
請求項７の発明は、前記管理情報として、著作権の管理番号、著作権の権利者情報、引用元情報、概要情報のいずれかを含む、請求項６に記載の画像処理装置である。
【００１２】
請求項８の発明は、前記第１提示手段は、前記著作権の利用条件として、著作権処理が必要な前記要素の出力に必要な料金を提示する、請求項５に記載の画像処理装置である。
【００１３】
請求項９の発明は、前記第２提示手段は、利用要と指示された要素の料金の総額を提示する、請求項８に記載の画像処理装置である。
【００１４】
請求項１０の発明は、前記出力手段は、利用不要と指示された要素について、該要素を削除する加工を行う、請求項１に記載の画像処理装置である。
【００１５】
請求項１１の発明は、前記出力手段は、利用不要と指示された要素について、該要素を劣化させる加工を行う、請求項１に記載の画像処理装置である。
【００１６】
請求項１２の発明は、前記出力手段は、利用不要と指示された要素について、該要素の著作権の管理情報に置き換える加工を行う、請求項１に記載の画像処理装置である。
【００１７】
請求項１３の発明は、前記出力手段は、利用要と指示された要素について、該要素の著作権の管理情報を付加する加工を行う、請求項１に記載の画像処理装置である。
【００１８】
請求項１４の発明は、前記受付手段は、要素を広告とともに出力するとの指示を受け付け可能とし、前記出力手段は、要素を広告とともに出力するとの指示を受け付けた場合、該要素と広告を含めた出力データを生成する、請求項１に記載の画像処理装置である。
【００１９】
請求項１５の発明は、前記出力手段は、前記文書の余白部分に広告を配置した出力データを生成する、請求項１４に記載の画像処理装置である。
【００２０】
請求項１６の発明は、前記出力手段は、前記利用条件によって指示された加工方法で加工を行う、請求項１に記載の画像処理装置である。
【００２１】
請求項１７の発明は、前記加工方法として、利用不要と指示された前記要素に電子透かしを重畳する加工とする、請求項１６に記載の画像処理装置である。
【００２２】
請求項１８の発明は、前記加工方法として、該加工方法に指定された解像度へ変換する加工とする、請求項１６に記載の画像処理装置である。
【００２３】
請求項１９の発明は、コンピュータを、文書を取得する取得手段と、取得した文書を構成する要素のうち、著作権処理が必要な要素を抽出する第１抽出手段と、抽出した要素の著作権の利用条件を抽出する第２抽出手段と、抽出した要素毎に、該要素に対応する利用条件を提示し、該要素の利用の要否の指示を受け付ける受付手段と、利用要と指示された要素に対応する利用条件に含まれる料金を前記文書の出力の料金に加算して総額を提示する提示手段と、前記総額が決済されると、利用不要と指示された要素を、該要素に対応する利用条件に応じた加工を行い、該要素と置き換えて出力データを生成して出力する出力手段として機能させるための画像処理プログラムである。
【００２４】
請求項２０の発明は、コンピュータを、文書を構成する要素のうち、著作権処理が必要な要素毎に、該要素の利用の要否の指示を受け付ける受付手段と、利用不要と指示された要素に対して加工を行い、該要素と置き換えて出力データを生成して出力する出力手段として機能させるための画像処理プログラムである。
【００２５】
請求項２１の発明は、コンピュータを、文書を識別する情報を受け付ける第１受付手段と、前記情報で識別される文書を構成する要素のうち、著作権処理が必要な要素について著作権の利用条件を提示する第１提示手段と、前記要素毎に、該要素の利用の要否の指示を受け付ける第２受付手段と、利用要と指示された要素に対応する利用条件に含まれる料金を前記文書の出力の料金に加算して総額を提示する第２提示手段と、前記総額を決済する決済手段と、利用不要と指示された要素を、該要素に対応する利用条件に応じた加工を行い、該要素と置き換えて生成された出力データを出力する出力手段として機能させるための画像処理プログラムである。
【００２６】
請求項２２の発明は、コンピュータを、文書を指示する指示手段と、前記指示された文書を構成する要素のうち、著作権処理が必要な要素について著作権の利用条件を提示する第１提示手段と、著作権処理が必要な要素毎に、該要素の利用の要否の指示を受け付ける受付手段と、利用要と指示された要素に対応する利用条件に含まれる料金を前記文書の出力の料金に加算して総額を提示する第２提示手段と、前記指示された要素毎の利用の要否情報を含む前記文書に対する出力要求を生成し出力する出力手段として機能させるための画像処理プログラムである。
【００２７】
請求項２３の発明は、文書を指示する指示手段と、前記指示された文書を構成する要素のうち、著作権処理が必要な要素について著作権の利用条件を提示する第１提示手段と、著作権処理が必要な要素毎に、該要素の利用の要否の指示を受け付ける第１受付手段と、利用要と指示された要素に対応する利用条件に含まれる料金を前記文書の出力の料金に加算して総額を提示する第２提示手段と、前記指示された要素毎の利用の要否情報を含む前記文書に対する出力要求を生成し、第２画像処理装置に出力する第１出力手段を備えた第１画像処理装置と、前記指示された文書を取得する取得手段と、取得した文書を構成する要素のうち、著作権処理が必要な要素を抽出する第１抽出手段と、抽出した要素の著作権の利用条件を抽出する第２抽出手段と、抽出した要素毎に、該要素に対応する利用条件を提示し、該要素の利用の要否の指示を受け付ける第２受付手段と、利用要と指示された要素に対応する利用条件に含まれる料金を前記文書の出力の料金に加算して総額を提示する第３提示手段と、前記総額が決済されると、利用不要と指示された要素を、該要素に対応する利用条件に応じた加工を行い、該要素と置き換えて出力データを生成して、第３画像処理装置に出力する第２出力手段を備えた第２画像処理装置と、前記指示された文書を識別する情報を受け付ける第３受付手段と、前記情報で識別される文書を構成する要素のうち、著作権処理が必要な要素について著作権の利用条件を提示する第４提示手段と、前記要素毎に、該要素の利用の要否の指示を受け付ける第４受付手段と、利用要と指示された要素に対応する利用条件に含まれる料金を前記文書の出力の料金に加算して総額を提示する第５提示手段と、前記総額を決済する決済手段と、利用不要と指示された要素を、該要素に対応する利用条件に応じた加工を行い、該要素と置き換えて生成された出力データを出力する第３出力手段を備えた第３画像処理装置を備えた画像処理システムである。
【発明の効果】
【００２８】
請求項１の画像処理装置によれば、著作権処理が必要な要素を含んでいる文書を出力する場合にあって、利用不要と指示された要素を加工して出力データを生成することができる。
【００２９】
請求項２の画像処理装置によれば、著作権処理が必要な要素を含んでいる文書を出力する場合にあって、利用不要と指示された要素を加工して出力データを生成することができる。
【００３０】
請求項３の画像処理装置によれば、著作権処理が必要な要素を含んでいる文書を出力する場合にあって、その要素を利用するにあたっての料金を文書の出力の料金に加算して総額を提示して、利用不要と指示された要素を加工して出力データを出力することができる。
【００３１】
請求項４の画像処理装置によれば、著作権処理が必要な要素を含んでいる文書を出力する場合にあって、その要素を利用するにあたっての料金を文書の出力の料金に加算して総額を提示して、要素毎の利用の要否情報を含む文書に対する出力要求を生成することができる。
【００３２】
請求項５の画像処理装置によれば、ユーザーは、文書内の著作権処理が必要な要素を知ることができる。
【００３３】
請求項６の画像処理装置によれば、ユーザーは、著作権処理が必要な要素の著作権の管理情報を知ることができる。
【００３４】
請求項７の画像処理装置によれば、ユーザーは、著作権の管理番号、著作権の権利者情報、引用元情報、概要情報のいずれかを知ることができる。
【００３５】
請求項８の画像処理装置によれば、ユーザーは、著作権処理が必要な要素の出力に必要な料金を知ることができる。
【００３６】
請求項９の画像処理装置によれば、ユーザーは、利用要と指示された要素の料金の総額を知ることができる。
【００３７】
請求項１０の画像処理装置によれば、利用不要と指示された要素を削除することができる。
【００３８】
請求項１１の画像処理装置によれば、利用不要と指示された要素を劣化させることができる。
【００３９】
請求項１２の画像処理装置によれば、利用不要と指示された要素の著作権の管理情報に置き換えることができる。
【００４０】
請求項１３の画像処理装置によれば、利用要と指示された要素の著作権の管理情報を付加することができる。
【００４１】
請求項１４の画像処理装置によれば、ユーザーは、要素を広告とともに出力するとの指示を行うことができる。
【００４２】
請求項１５の画像処理装置によれば、文書の余白部分に広告を配置した出力データを生成することができる。
【００４３】
請求項１６の画像処理装置によれば、利用条件によって指示された加工方法で加工を行うことができる。
【００４４】
請求項１７の画像処理装置によれば、利用不要と指示された要素に電子透かしを重畳することができる。
【００４５】
請求項１８の画像処理装置によれば、指定された解像度へ変換することができる。
【００４６】
請求項１９の画像処理プログラムによれば、著作権処理が必要な要素を含んでいる文書を出力する場合にあって、利用不要と指示された要素を加工して出力データを生成することができる。
【００４７】
請求項２０の画像処理プログラムによれば、著作権処理が必要な要素を含んでいる文書を出力する場合にあって、利用不要と指示された要素を加工して出力データを生成することができる。
【００４８】
請求項２１の画像処理プログラムによれば、著作権処理が必要な要素を含んでいる文書を出力する場合にあって、その要素を利用するにあたっての料金を文書の出力の料金に加算して総額を提示して、利用不要と指示された要素を加工して出力データを出力することができる。
【００４９】
請求項２２の画像処理プログラムによれば、著作権処理が必要な要素を含んでいる文書を出力する場合にあって、その要素を利用するにあたっての料金を文書の出力の料金に加算して総額を提示して、要素毎の利用の要否情報を含む文書に対する出力要求を生成することができる。
【００５０】
請求項２３の画像処理システムによれば、著作権処理が必要な要素を含んでいる文書を出力する場合にあって、利用不要と指示された要素を加工して出力データを生成することができる。
【図面の簡単な説明】
【００５１】
【図１】本実施の形態（画像処理装置）の構成例についての概念的なモジュール構成図である。
【図２】本実施の形態（画像形成装置）の構成例についての概念的なモジュール構成図である。
【図３】本実施の形態（ユーザー端末）の構成例についての概念的なモジュール構成図である。
【図４】本実施の形態を利用したシステム構成例を示す説明図である。
【図５】本実施の形態による処理例を示すフローチャートである。
【図６】文書・要素情報テーブルのデータ構造例を示す説明図である。
【図７】要素・著作権対応テーブルのデータ構造例を示す説明図である。
【図８】著作権利用情報テーブルのデータ構造例を示す説明図である。
【図９】対象文書情報テーブルのデータ構造例を示す説明図である。
【図１０】料金テーブルのデータ構造例を示す説明図である。
【図１１】本実施の形態による処理例を示すフローチャートである。
【図１２】本実施の形態による処理例を示す説明図である。
【図１３】本実施の形態による処理例を示す説明図である。
【図１４】本実施の形態による処理例を示す説明図である。
【図１５】本実施の形態による処理例を示す説明図である。
【図１６】本実施の形態による処理例を示すフローチャートである。
【図１７Ａ】本実施の形態による処理例を示すフローチャートである。
【図１７Ｂ】本実施の形態による処理例を示すフローチャートである。
【図１８】本実施の形態による処理例を示す説明図である。
【図１９】本実施の形態による処理例を示す説明図である。
【図２０】本実施の形態による処理例を示す説明図である。
【図２１】本実施の形態による処理例を示す説明図である。
【図２２】本実施の形態による処理例を示す説明図である。
【図２３】本実施の形態による処理例を示す説明図である。
【図２４】本実施の形態による処理例を示す説明図である。
【図２５】本実施の形態を実現するコンピュータのハードウェア構成例を示すブロック図である。
【図２６】本実施の形態を実現するコンピュータのハードウェア構成例を示すブロック図である。
【発明を実施するための形態】
【００５２】
以下、図面に基づき本発明を実現するにあたっての好適な一実施の形態の例を説明する。
図１は、本実施の形態（画像処理装置１００）の構成例についての概念的なモジュール構成図を示している。
なお、モジュールとは、一般的に論理的に分離可能なソフトウェア（「ソフトウェア」の解釈として、コンピュータ・プログラムを含む）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（例えば、コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（例えば、データの授受、指示、データ間の参照関係、ログイン等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（「２以上の値」には、もちろんのことながら、全ての値も含む）が同じであってもよい。また、「Ａである場合、Ｂをする」という記載は、「Ａであるか否かを判断し、Ａであると判断した場合はＢをする」の意味で用いる。ただし、Ａであるか否かの判断が不要である場合を除く。また、「Ａ、Ｂ、Ｃ」等のように事物を列挙した場合は、断りがない限り例示列挙であり、その１つのみを選んでいる場合（例えば、Ａのみ）を含む。
また、システム又は装置とは、複数のコンピュータ、ハードウェア、装置等がネットワーク（「ネットワーク」には、一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（つまり、社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスクドライブ、ＲＡＭ（Ｒａｎｄｏｍ  Ａｃｃｅｓｓ  Ｍｅｍｏｒｙの略）、外部記憶媒体、通信回線を介した記憶装置、ＣＰＵ（Ｃｅｎｔｒａｌ  Ｐｒｏｃｅｓｓｉｎｇ  Ｕｎｉｔの略）内のレジスタ等を含んでいてもよい。
【００５３】
本実施の形態である画像処理装置１００は、文書の出力データを生成する機能を有しており、図１の例に示すように、通信モジュール１０５、通信関連処理モジュール１１０、文書記憶モジュール１５０、抽出モジュール１５５、加工処理モジュール１７０を有している。特に、画像処理装置１００は、著作権がある要素を含む文書の印刷に関する処理を行うものである。例えば、ユーザーの操作にしたがってユーザー端末３００から、文書の印刷予約を受け付けて、そのユーザーが画像形成装置２００を用いてその文書の印刷する際に、文書データを画像形成装置２００に送信する。画像形成装置２００は第１画像処理装置の一例であり、画像処理装置１００は第２画像処理装置の一例であり、ユーザー端末３００は第３画像処理装置の一例である。
【００５４】
通信モジュール１０５は、通信関連処理モジュール１１０と接続されており、また、通信回線を介して画像形成装置２００、ユーザー端末３００、Ｗｅｂサーバー４００、著作権管理装置４１０と接続されている。通信モジュール１０５は、ユーザー端末３００からの指示を受け取り、その指示にしたがって、Ｗｅｂサーバー４００又は著作権管理装置４１０から文書又は文書を構成する要素の著作権情報を取得して、生成された出力データを印刷するために画像形成装置２００に送信する。
【００５５】
通信関連処理モジュール１１０は、文書取得モジュール１１５、著作権情報取得モジュール１２０、利用条件提示モジュール１２５、利用要否受付モジュール１３０、料金提示モジュール１３５、決済確認モジュール１４０、出力モジュール１４５を有しており、通信モジュール１０５と接続されている。通信関連処理モジュール１１０は、通信モジュール１０５を制御して、画像形成装置２００、ユーザー端末３００、Ｗｅｂサーバー４００、著作権管理装置４１０との通信を行って、出力データを生成するために必要な情報を取得し、生成された出力データとそれに関連する情報を送信する。
【００５６】
文書取得モジュール１１５は、文書記憶モジュール１５０、抽出モジュール１５５と接続されている。文書取得モジュール１１５は、文書を取得する。例えば、文書取得モジュール１１５は、ユーザー端末３００から送信されてきた文書を受信してもよいし、ユーザー端末３００からの指示に応じた文書を、文書記憶モジュール１５０に記憶されている文書又はＷｅｂサーバー４００から取得するようにしてもよい。そして、文書取得モジュール１１５は、その文書を画像形成装置２００で印刷するために、その文書を識別する情報を、ユーザー端末３００に返信する。
ここで「文書」には、著作権処理が必要な要素が含まれている。例えば、著作権処理が必要であることを示す情報、著作権の利用条件等がタグとして文書内に埋め込まれていてもよい。例えば、ＨＴＭＬ（Ｈｙｐｅｒ  Ｔｅｘｔ  Ｍａｒｋｕｐ  Ｌａｎｇｕａｇｅの略）形式で記述されたＷｅｂページの他に、ワードプロセッサ等の文書作成プログラムによって作成された文書等を含めてもよい。
また、「著作権処理」とは、著作権が発生している要素において、その要素を出力（例えば、表示、印刷等）の処理をする場合に、その処理を行うための条件をいう。例えば、その要素を利用するために必要な料金が決済されていることが該当する。この他に、出力時に著作者名や引用元情報を付加して出力すること等があってもよい。
【００５７】
著作権情報取得モジュール１２０は、抽出モジュール１５５と接続されている。著作権情報取得モジュール１２０は、要素抽出モジュール１６０によって抽出された要素について、その要素に対応する著作権情報を、通信モジュール１０５を介して著作権管理装置４１０から取得する。そして、取得した著作権情報を利用条件抽出モジュール１６５に渡す。例えば、対象としている要素の著作権情報として、著作権フリーであることが記述されている場合は（具体的には、フリー素材、クリエイティブコモンズ表記、文化庁の利用マークなどの情報があれば）、その要素の印刷に制約はないと判断する。
ここで「要素」とは、文書を構成しているデータであって、個々の要素には著作権が発生し得る。例えば、図、表、写真、段落、文書の領域等が該当する。
例えば、以下のような処理を行う。
（Ａ）要素に、著作権ＩＤが埋め込まれているかをチェックする。具体的には、ＨＴＭＬ文書にあっては、著作権ＩＤを示すタグに囲まれた情報が該当する。つまり、要素を記述するタグ情報の中に、著作権ＩＤが埋め込まれている。そして、著作権管理装置４１０に問い合わせて、著作権情報を取得する。
（Ｂ）文書中のリンクをチェックする。具体的には、リンク先に、著作権情報があるかをチェックする。リンク先は文書提供者が作成したものである場合があるので、著作権に関する情報が置いてある場合がある。
【００５８】
利用条件提示モジュール１２５は、利用条件抽出モジュール１６５が抽出した要素毎に、その要素に対応する利用条件を提示する。ここでの「提示」には、通信モジュール１０５を介して、ユーザー端末３００又は画像形成装置２００の表示装置に、要素毎の利用条件を提示させるように制御することを含む。
【００５９】
具体的には、利用条件提示モジュール１２５は、以下のようなユーザー端末３００又は画像形成装置２００に対する表示制御を行う。
著作権処理が必要な要素について、印刷要否の設定ができるように表示制御を行う。
・文書のプレビュー画面に、著作権処理が必要な要素がある旨と、その要素がある箇所を表示する。
・さらに、著作権情報を表示する。つまり、利用者に、印刷の要否を判断させるためである。
著作権情報として、例えば、権利者、著作権ＩＤ、著作権の管理団体、問い合わせ先、コンテンツの引用元ＵＲＬ情報、利用条件情報（概要や要約文などのコンテンツの説明情報、利用料金）等がある。また、利用できない場合は、「印刷不可」やその理由がある。
そして、著作権処理が必要な要素毎に、印刷の要否をユーザーが設定できるように表示制御する。
例えば、印刷する、印刷しないとの選択であってもよい。
さらに、その選択だけでなく、以下の選択ができるように表示制御してもよい。
・著作権情報内の利用条件の範囲で印刷する。
利用条件に記述された範囲で印刷する。解像度を落とす、電子透かしを重畳する、要約だけ印刷する等がある。
・印刷しない場合のオプションとして、以下のようにしてもよい。
対象とする要素を削する。ただし、その要素を囲む枠だけを残す。
引用元情報（ＵＲＬを記載）を対象とする要素の領域に重畳して記載し、又は、著作権情報を重畳して記載する。単に要素を削除してしまうと、元々何が記載されていたかわからなくなってしまう。そこで、利用者が後で参照できるための情報を重畳して印刷したものである。
対象とする要素の解像度を落とす、電子透かしを対象とする要素の領域に重畳等する。
【００６０】
利用要否受付モジュール１３０は、利用条件抽出モジュール１６５が抽出した要素毎に、その要素の利用の要否の指示を受け付ける。ここでの「指示を受け付ける」には、通信モジュール１０５を介して、ユーザー端末３００又は画像形成装置２００を利用しているユーザーの操作によって、要素毎の利用の要否の指示を受信することを含む。
【００６１】
料金提示モジュール１３５は、利用要と指示された要素に対応する利用条件に含まれる料金を、対象としている文書の出力の料金に加算して総額を提示する。ここでの「提示」には、通信モジュール１０５を介して、ユーザー端末３００又は画像形成装置２００の表示装置に、文書出力のための料金の総額を提示させるように制御することを含む。
また「文書の出力の料金」は、著作権処理を必要とする要素がない文書（又は、著作権処理が必要な要素があった場合であっても、全て利用不要との指示が行われた場合の文書）を出力する場合に必要となる料金をいう。つまり、著作権処理による料金が発生しない場合の出力に要する料金である。具体的には、出力枚数、カラー若しくは白黒出力、又は、用紙サイズ等によって定まる料金である。
「総額」とは、対象としている文書を出力するにあたって必要となる料金である。前述の「文書の出力の料金」と「著作権処理が必要な要素を利用するにあたって必要な料金」の合計である。もちろんのことながら、著作権処理が必要な要素が複数あれば、その要素毎の料金を加算する。
【００６２】
具体的には、料金提示モジュール１３５は、以下のようなユーザー端末３００又は画像形成装置２００に対する料金表示制御を行う。
著作権処理が必要な要素の印刷要否に応じて、印刷料金に加算して総額を表示する。
総額のうち、著作権だけの利用金額を分けて表示するようにしてもよい。
ユーザーが契約している著作権管理団体に、予め金額払っていること、又は、その著作権管理団体で決済可能な場合は、その著作権管理団体におけるアカウントを入力させるようにしてもよい。このアカウントを入力することにより、このアカウントが著作権処理が必要な要素のＩＤとともに著作権管理団体へ利用の通知がなされ、今回の利用に必要な金額が既に払っている金額から差し引かれる。また、著作権処理が必要な要素を引用して文書や記事やコンテンツを作成し管理しているサイトが、著作権管理団体への決済処理が可能な場合は、このサイトに決済を代行してもらうようにしてもよい。例えば、引用元がＦａｃｅｂｏｏｋ（登録商標）であったならば、Ｆａｃｅｂｏｏｋ側で決済可能としてもよい。
・例えば、個人の著作権者にあっては、個人間ネット決済プラットフォームを利用できるようにしてもよい。例えば、モバイル端末を利用して、バーコード決済するようにしてもよい。
・「広告とともに印刷」することで著作権の利用料を無料とするようにしてもよい。
【００６３】
決済確認モジュール１４０は、料金提示モジュール１３５によって提示された総額が決済されたことを確認する。ここで「決済の確認」は、画像形成装置２００から、文書出力のための料金がユーザーによって支払われたことの通知を受信することによって行われる。例えば、画像形成装置２００に備え付けられている料金回収機（コインキットと呼ばれるものを含む）で料金が支払われたこと（硬貨での支払い、ＩＣカードでの支払い、クレジットカードでの支払い等を含む）によって、画像処理装置１００は画像形成装置２００から、決済されたことの通知を受け取る。
【００６４】
出力モジュール１４５は、加工処理モジュール１７０と接続されている。出力モジュール１４５は、決済確認モジュール１４０によって料金の決済が確認されると、利用不要と指示された要素を、加工処理モジュール１７０によってその要素の加工結果に置き換えて出力データを生成し、画像形成装置２００に出力する。具体的には、通信モジュール１０５を介して、画像形成装置２００に出力データを送信する。つまり、「出力データの出力」における出力先は、画像形成装置２００である。
ここで「出力する」には、印刷データを印刷装置で印刷させるように制御すること、表示データを表示装置に表示させるように制御すること、音声データをスピーカーで出力させるように制御すること等の形態が含まれる。
【００６５】
また、出力モジュール１４５は、利用不要と指示された要素について、その要素を削除する加工を行うようにしてもよい。
ここで「要素を削除する加工」とは、その要素を出力する文書に含めないようにする加工であればよく、空白の領域とすること、他の画像（例えば、黒色の領域）に置換すること等がある。
【００６６】
また出力モジュール１４５は、利用不要と指示された要素について、その要素を劣化させる加工を行うようにしてもよい。
ここで「劣化させる加工」として、内容が視認できない程度に劣化させる加工であればよく、例えば、その要素の解像度を荒くすること、その要素に対して予め定められたマスキング処理を施すこと等が該当する。
【００６７】
また出力モジュール１４５は、利用不要と指示された要素について、その要素の著作権の管理情報に置き換える加工を行うようにしてもよい。
【００６８】
また出力モジュール１４５は、利用要と指示された要素について、その要素の著作権の管理情報を付加する加工を行うようにしてもよい。
【００６９】
また、利用要否受付モジュール１３０は、要素を広告とともに出力するとの指示を受け付け可能としてもよい。
そして、出力モジュール１４５は、利用要否受付モジュール１３０が要素を広告とともに出力するとの指示を受け付けた場合、その要素と広告を含めた出力データを生成するようにしてもよい。
また、出力モジュール１４５は、文書の余白部分に広告を配置した出力データを生成するようにしてもよい。
【００７０】
また、出力モジュール１４５は、利用条件によって指示された加工方法で加工を行うようにしてもよい。
そして、その加工方法として、利用不要と指示された要素の領域に電子透かしを重畳する加工とするようにしてもよい。
また、その加工方法として、その加工方法に指定された解像度へ変換する加工とするようにしてもよい。
【００７１】
文書記憶モジュール１５０は、通信関連処理モジュール１１０の文書取得モジュール１１５、加工処理モジュール１７０と接続されている。文書記憶モジュール１５０は、印刷対象となる文書を記憶している。
【００７２】
抽出モジュール１５５は、要素抽出モジュール１６０、利用条件抽出モジュール１６５を有しており、通信関連処理モジュール１１０の文書取得モジュール１１５と著作権情報取得モジュール１２０、加工処理モジュール１７０と接続されている。抽出モジュール１５５は、文書の要素に関する処理を行う。
要素抽出モジュール１６０は、文書取得モジュール１１５が取得した文書を構成する要素を抽出する。そして、その要素のうち、著作権情報取得モジュール１２０が取得した著作権情報を用いて、著作権処理が必要な要素を抽出する。
【００７３】
利用条件抽出モジュール１６５は、要素抽出モジュール１６０が抽出した要素を対象として、著作権情報取得モジュール１２０によって取得された著作権情報から、その要素の著作権の利用条件を抽出する。また、前述したように、著作権情報が文書内に埋め込まれている場合は、その著作権情報から要素毎の著作権の利用条件を抽出してもよい。
【００７４】
具体的には、利用条件抽出モジュール１６５は、以下のような処理を行う。
著作権処理が必要な要素を抽出した場合、利用条件を取得する。例えば、抽出部分に、利用条件が記載されていれば、その利用条件を取得する。また、抽出部分に、著作者への問い合わせ先（ＵＲＬ等）が記述されていれば、問い合わせ先へアクセスし、利用条件の情報（ライセンス記述テキスト文書など）を取得する。
抽出部分に、著作権管理サーバーである著作権管理装置４１０への問い合わせ先が記述されていれば、著作権管理装置４１０へ問い合わせる。
著作権管理装置４１０へ送付する情報として、以下の情報を含める。
（１）抽出部分に記述されている著作権ＩＤ
（２）利用形態：印刷
（３）利用目的：個人利用、教育用、商用利用等
（４）利用者情報：（もしあれば）印刷したい利用者の情報
これらの情報に基づき、著作権管理装置４１０から利用条件を取得する。
【００７５】
利用条件の例として、以下のものがある。
・無料で印刷可能。ただし、著作権表記や引用元表記についての条件や電子透かしを付加等することの条件があってもよい。
・有料で印刷可能。そして、印刷にあたっての利用料金。
・そのままでは印刷不可。具体的には、利用不要と指示された場合、対象となっている要素について、所定の解像度に変換して印刷可能、又は、概要のみ印刷可能。
・なお、利用者が予め著作権管理団体に利用料を払っている場合は、利用料金が無料と返信されるようにしてもよい。
【００７６】
加工処理モジュール１７０は、通信関連処理モジュール１１０の出力モジュール１４５、文書記憶モジュール１５０、抽出モジュール１５５と接続されている。加工処理モジュール１７０は、利用不要と指示された要素に対して、その要素に対応する利用条件に応じた加工を施す。
ここで「要素に対応する利用条件に応じた加工」とは、利用条件には、利用不要とされた場合の加工方法が指定されているので、その加工方法にしたがって加工を行うことである。例えば、利用不要とされた場合は、その要素は削除すること（つまり、空白の領域とすること）、その要素の解像度を荒くすること、その要素に対して予め定められたマスキング処理を施すこと等が該当する。
「要素と置き換えて」の処理において、要素を削除した場合は、その要素に該当するデータを文書内から削除することになるが、削除処理はヌルデータと置き換えることでもある。
なお、利用要と指示された要素については、その要素をそのまま含めた文書の出力データを出力することになる。つまり、その要素を加工することなしに文書の出力データを出力する。
【００７７】
画像形成装置２００は、通信回線を介して画像処理装置１００の通信モジュール１０５と接続されている。画像形成装置２００は、画像処理装置１００から出力データを受け取り、その出力データを出力する。画像形成装置２００として、例えば、プリンタ、複合機（スキャナ、プリンタ、複写機、ファックス等のいずれか２つ以上の機能を有している画像処理装置）等が該当する。この場合、「出力データを出力する」とは、出力データを印刷することに該当する。
【００７８】
ユーザー端末３００は、通信回線を介して画像処理装置１００の通信モジュール１０５と接続されている。ユーザー端末３００は、ユーザーによって利用され、文書を出力する指示等を受け付け、画像処理装置１００に対して送信する。ユーザー端末３００として、例えば、パーソナルコンピュータ、スマートフォン等の携帯情報通信機器、情報家電等が該当する。
【００７９】
Ｗｅｂサーバー４００は、通信回線を介して画像処理装置１００の通信モジュール１０５と接続されている。Ｗｅｂサーバー４００は、文書、文書を構成する要素を記憶しており、例えば、Ｗｅｂページによって文書、文書を構成する要素を公開しており、画像処理装置１００に対して、文書、文書を構成する要素を送信する。
【００８０】
著作権管理装置４１０は、通信回線を介して画像処理装置１００の通信モジュール１０５と接続されている。著作権管理装置４１０は、文書、又は、文書を構成する要素についての著作権情報を管理しており、画像処理装置１００に対して、要素についての著作権情報を送信する。
【００８１】
図２は、本実施の形態（画像形成装置２００）の構成例についての概念的なモジュール構成図である。
画像形成装置２００は、通信モジュール２０５、通信関連処理モジュール２１０、ユーザーインタフェース処理モジュール２３５、出力モジュール２６５、印刷モジュール２７０を有している。
通信モジュール２０５は、通信関連処理モジュール２１０と接続されており、また、通信回線を介して画像処理装置１００、Ｗｅｂサーバー４００と接続されている。通信モジュール２０５は、ユーザーの操作による指示を画像処理装置１００に送信したり、文書をＷｅｂサーバー４００から取得したりする。
【００８２】
ユーザーインタフェース処理モジュール２３５は、文書ＩＤ受付モジュール２４０、利用条件提示モジュール２４５、要素利用要否受付モジュール２５０、料金提示モジュール２５５、決済モジュール２６０を有しており、通信関連処理モジュール２１０と接続されている。ユーザーインタフェース処理モジュール２３５は、ユーザーの操作を受け付ける。ここでのユーザーは、ユーザー端末３００を用いていたユーザーである。また、画像形成装置２００に備え付けられているユーザーインタフェース装置として、例えば、タッチパネル、表示装置（例えば、液晶ディスプレイ、有機ＥＬディスプレイ等）、キーボード、マウス等がある。なお、ユーザーインタフェース処理モジュール２３５が行う「提示」は、本画像形成装置２００のタッチパネル、表示装置に提示することである。
【００８３】
文書ＩＤ受付モジュール２４０は、文書ＩＤを受け付ける。ユーザー端末３００を用いて文書印刷の予約をしたユーザーが、ユーザーインタフェース装置を利用して、文書ＩＤを入力する。
【００８４】
利用条件提示モジュール２４５は、文書ＩＤ受付モジュール２４０が受け付けた文書ＩＤで識別される文書を構成する要素のうち、著作権処理が必要な要素について著作権の利用条件を提示する。具体的には、要素・著作権関連情報取得モジュール２２０が取得した要素毎の著作権情報を用いて、要素毎の利用条件を提示すればよい。
また、利用条件提示モジュール２４５は、対象としている文書を表示し、その文書内の著作権処理が必要な要素を他の要素と区別して表示するようにしてもよい。
また、利用条件提示モジュール２４５は、著作権処理が必要な前記要素の著作権の管理情報をともに表示するようにしてもよい。
ここで「管理情報」としては、著作権の管理番号、著作権の権利者情報、引用元情報、概要情報のいずれかを含むものである。
また、利用条件提示モジュール２４５は、著作権の利用条件として、著作権処理が必要な要素の出力に必要な料金を提示するようにしてもよい。
【００８５】
要素利用要否受付モジュール２５０は、要素毎に、その要素の利用の要否の指示を受け付ける。ユーザーが、ユーザーインタフェース装置を利用して、著作権処理が必要な要素毎の利用要否を入力する。
【００８６】
料金提示モジュール２５５は、利用要と指示された要素に対応する利用条件に含まれる料金を、文書の出力の料金に加算して総額を提示する。
また、料金提示モジュール２５５は、利用要と指示された要素の料金の総額を提示するようにしてもよい。
ここでの「総額」は、著作権処理の結果、必要となった料金の総額であって、前述した「文書の出力の料金」は含まれない。
【００８７】
決済モジュール２６０は、料金提示モジュール２５５によって提示された総額を決済する。前述したように、例えば、画像形成装置２００に備え付けられている料金回収機で料金が支払われたことを検知する。また、電子マネーの利用、付け替え先の入力等で決済してもよい。
【００８８】
通信関連処理モジュール２１０は、文書取得モジュール２１５、要素・著作権関連情報取得モジュール２２０、料金処理モジュール２２５、出力データ取得モジュール２３０を有しており、通信モジュール２０５、ユーザーインタフェース処理モジュール２３５、出力モジュール２６５と接続されている。通信関連処理モジュール２１０は、ユーザーインタフェース処理モジュール２３５からユーザーの操作を受け取り、その指示にしたがって、画像処理装置１００から出力データ等を受信して、出力モジュール２６５に出力データを渡す。
【００８９】
文書取得モジュール２１５は、文書ＩＤ受付モジュール２４０によって受け付けられた文書を識別する情報（以下、文書ＩＤともいう）を通信モジュール２０５を介して、画像処理装置１００に送信し、画像処理装置１００からその文書ＩＤの文書又はその文書ＩＤに対応する文書が格納されている場所（例えば、ＵＲＬ）を受信し、その場所であるＷｅｂサーバー４００内から文書を取得する。なお、取得する文書として、縮小画像（サムネイル画像）であってもよい。この場合、印刷する文書をユーザーに確認させるために、縮小画像を画像形成装置２００の表示装置に表示するようにしてもよい。
【００９０】
要素・著作権関連情報取得モジュール２２０は、文書取得モジュール２１５が取得した文書を構成する要素、その要素の著作権情報を取得する。具体的には、要素・著作権関連情報取得モジュール２２０は、画像処理装置１００の著作権情報取得モジュール１２０によって取得された著作権情報、利用条件抽出モジュール１６５によって抽出された要素毎の利用条件を受信するようにしてもよい。また、要素・著作権関連情報取得モジュール２２０は、画像処理装置１００の著作権情報取得モジュール１２０、抽出モジュール１５５と同等の処理を行うようにしてもよい。
【００９１】
料金処理モジュール２２５は、文書を出力するにあたって必要となる料金の処理を行う。例えば、料金処理モジュール２２５は、要素・著作権関連情報取得モジュール２２０が取得した著作権関連情報内に要素を利用するための料金が含まれている場合は、文書を印刷するための料金を算出してもよいし、通信モジュール２０５を介して、画像処理装置１００から文書を印刷するための料金を取得してもよい。
【００９２】
出力データ取得モジュール２３０は、画像処理装置１００から出力データを取得する。具体的には、画像処理装置１００の加工処理モジュール１７０による加工処理が施された出力データを取得する。
【００９３】
出力モジュール２６５は、通信関連処理モジュール２１０、印刷モジュール２７０と接続されている。出力モジュール２６５は、利用不要と指示された要素を、その要素に対応する利用条件に応じた加工を行い、その要素と置き換えて生成された出力データを出力する。
ここで「生成された出力データ」としており、出力データを生成するのは、プリントサービスを行う画像処理装置１００である。
また「出力データの出力」における出力先は、印刷モジュール２７０である。したがって、ここでの「出力」には、用紙への印刷を含む。
印刷モジュール２７０は、出力モジュール２６５と接続されている。印刷モジュール２７０は、出力モジュール２６５から受け取った出力データにしたがって印刷を行う。
【００９４】
画像処理装置１００は、通信回線を介して画像形成装置２００の通信モジュール２０５と接続されている。
Ｗｅｂサーバー４００は、通信回線を介して画像形成装置２００の通信モジュール２０５と接続されている。
【００９５】
図３は、本実施の形態（ユーザー端末３００）の構成例についての概念的なモジュール構成図である。
ユーザー端末３００は、通信モジュール３０５、通信関連処理モジュール３１０、ユーザーインタフェース処理モジュール３３５を有している。
通信モジュール３０５は、通信関連処理モジュール３１０と接続されており、また、通信回線を介して画像処理装置１００、Ｗｅｂサーバー４００と接続されている。通信モジュール３０５は、ユーザーの操作による指示を画像処理装置１００に送信したり、その文書を識別する情報を受け付けてユーザーに提示したり、文書をＷｅｂサーバー４００から取得したりする。
【００９６】
ユーザーインタフェース処理モジュール３３５は、文書指示モジュール３４０、文書・要素・著作権情報提示モジュール３４５、要素利用要否受付モジュール３５０、料金提示モジュール３５５、出力指示受付モジュール３６０を有しており、通信関連処理モジュール３１０と接続されている。ユーザーインタフェース処理モジュール３３５は、ユーザーの操作を受け付ける。ここでのユーザーは、画像形成装置２００を用いることになるユーザーである。また、ユーザー端末３００に備え付けられているユーザーインタフェース装置として、例えば、タッチパネル、表示装置（例えば、液晶ディスプレイ、有機ＥＬディスプレイ等）、キーボード、マウス等がある。なお、ユーザーインタフェース処理モジュール３３５が行う「提示」は、本ユーザー端末３００のタッチパネル、表示装置に提示することである。
【００９７】
文書指示モジュール３４０は、文書を指示する。ユーザーは、印刷予約の対象となる文書を指示する。文書指示モジュール３４０は、ユーザーによる文書の指示を受け付ける。
【００９８】
文書・要素・著作権情報提示モジュール３４５は、文書指示モジュール３４０によって指示された文書を構成する要素のうち、著作権処理が必要な要素について著作権の利用条件を提示する。
また、文書・要素・著作権情報提示モジュール３４５は、対象としている文書を表示し、その文書内の著作権処理が必要な要素を他の要素と区別して表示するようにしてもよい。
また、文書・要素・著作権情報提示モジュール３４５は、著作権処理が必要な要素の著作権の管理情報をともに表示するようにしてもよい。
ここで「管理情報」としては、著作権の管理番号、著作権の権利者情報、引用元情報、概要情報のいずれかを含むものである。
また、文書・要素・著作権情報提示モジュール３４５は、著作権の利用条件として、著作権処理が必要な要素の出力に必要な料金を提示するようにしてもよい。
【００９９】
要素利用要否受付モジュール３５０は、著作権処理が必要な要素毎に、その要素の利用の要否の指示を受け付ける。ユーザーは、文書・要素・著作権情報提示モジュール３４５によって提示された要素毎の利用条件を確認して、その要素を利用するか否か（例えば、印刷対象とするか否か）を指示する。
【０１００】
料金提示モジュール３５５は、利用要と指示された要素に対応する利用条件に含まれる料金を、文書の出力の料金に加算して総額を提示する。
また、料金提示モジュール３５５は、利用要と指示された要素の料金の総額を提示するようにしてもよい。
ここでの「総額」は、著作権処理の結果、必要となった料金の総額であって、前述した「文書の出力の料金」は含まれない。
【０１０１】
出力指示受付モジュール３６０は、要素利用要否受付モジュール３５０によって受け付けられた指示された要素毎の利用の要否情報を含む、文書に対する出力要求を生成する。そして、その出力要求を出力モジュール３３０に渡す。
【０１０２】
通信関連処理モジュール３１０は、文書取得モジュール３１５、要素・著作権関連情報取得モジュール３２０、料金処理モジュール３２５、出力モジュール３３０を有しており、通信モジュール３０５、ユーザーインタフェース処理モジュール３３５と接続されている。通信関連処理モジュール３１０は、ユーザーインタフェース処理モジュール３３５からユーザーの操作を受け取り、その指示にしたがって、画像処理装置１００に対して、出力予約の文書の指定を送信し、その文書を識別する情報等を受信する。
【０１０３】
文書取得モジュール３１５は、文書指示モジュール３４０によって指示された文書又は文書が格納されている場所（例えば、ＵＲＬ）を通信モジュール３０５を介して画像処理装置１００に送信する。
【０１０４】
要素・著作権関連情報取得モジュール３２０は、文書指示モジュール３４０によって指示された文書から、その文書を構成している要素を抽出し、その要素の著作権情報を抽出する。具体的には、要素・著作権関連情報取得モジュール３２０は、画像処理装置１００の著作権情報取得モジュール１２０によって取得された著作権情報、利用条件抽出モジュール１６５によって抽出された要素毎の利用条件を受信するようにしてもよい。また、要素・著作権関連情報取得モジュール３２０は、画像処理装置１００の著作権情報取得モジュール１２０、抽出モジュール１５５と同等の処理を行うようにしてもよい。
【０１０５】
料金処理モジュール３２５は、文書を出力するにあたって必要となる料金の処理を行う。例えば、料金処理モジュール３２５は、要素・著作権関連情報取得モジュール３２０が取得した著作権関連情報内に要素を利用するための料金が含まれている場合は、文書を印刷するための料金を算出してもよいし、通信モジュール３０５を介して画像処理装置１００から文書を印刷するための料金を取得するようにしてもよい。
【０１０６】
出力モジュール３３０は、出力指示受付モジュール３６０によって生成された出力要求を出力する。
ここで「出力要求の出力」における出力先は、画像処理装置１００である。
【０１０７】
画像処理装置１００は、通信回線を介してユーザー端末３００の通信モジュール３０５と接続されている。
Ｗｅｂサーバー４００は、通信回線を介してユーザー端末３００の通信モジュール３０５と接続されている。
【０１０８】
図４は、本実施の形態を利用したシステム構成例を示す説明図である。
画像処理装置１００、画像形成装置２００、ユーザー４５０Ａが有しているユーザー端末３００Ａ、ユーザー４５０Ｂが有しているユーザー端末３００Ｂ、Ｗｅｂサーバー４００、著作権管理装置４１０は、通信回線４９０を介してそれぞれ接続されている。そして、店舗４７０内には、画像形成装置２００が設置されている。
コンビニエンスストア等である店舗４７０に設置されたプリンタの機能を有する画像形成装置２００で、自分で作成した文書やネットワーク上の文書（例えば、Ｗｅｂページ等）を課金して印刷するプリントサービスが展開されている。
例えば、自分で作成した文書データを、ネットワーク上のプリントサービスの管理サーバーである画像処理装置１００にアップロードすると、アップロードした文書の印刷用の番号が発行され、店舗４７０に設置された画像形成装置２００に、その印刷用の番号を入力すると、対応する文書がダウンロードされ、文書の印刷情報（カラー／白黒、用紙サイズ、印刷枚数）に応じた料金が算出され、ユーザーが決済すると、印刷が実行される。
図４の例を用いて説明する。ユーザー４５０Ａは、ユーザー端末３００Ａを用いて、印刷したい文書を画像処理装置１００にアップロードする。その際に、画像処理装置１００は、ユーザー端末３００Ａに対して、その印刷したい文書を識別する番号（文書を識別する情報の一例）を送信する。ユーザー端末３００Ａ内に、その情報が格納される。
そして、ユーザー４５０Ａ（図４ではユーザー４５０Ａ’）が店舗４７０に来店する。ユーザー４５０Ａ’は、ユーザー端末３００Ａ’（ユーザー端末３００Ａと同じ）内の、印刷したい文書を識別する番号を見ながら、画像形成装置２００にその番号を入力する。画像形成装置２００は、その番号を画像処理装置１００に送信する。画像処理装置１００は、その番号に対応する文書を画像形成装置２００に送信する。画像形成装置２００は、画像処理装置１００からその番号に対応する文書を受信する。画像形成装置２００は、ユーザー４５０Ａ’の印刷指示（カラー／白黒、用紙サイズ、印刷枚数等を含む）にしたがって、料金を算出し、その料金が決済されると、その文書の印刷を行う。
この例では、ユーザー４５０Ａ’は、ユーザー端末３００Ａ’内の、印刷したい文書を識別する番号を見ながら、入力しているが、必ずしもユーザー端末３００Ａ’を所持している必要はなく、印刷したい文書を識別する番号を画像形成装置２００に入力できるならば、記憶、又は、メモ等に記載しておいてもよい。
【０１０９】
例えば、ユーザー４５０Ａがユーザー端末３００Ａを用いて、著作権処理が必要な要素を含んでいる文書を印刷するために、画像処理装置１００に対して、その文書の印刷の予約を行う場合がある。
ＥＵの「著作権法改正」は、世界中のネットユーザーに大きな影響を及ぼすコンテンツを扱うサービス提供者は、Ｗｅｂサイトのコンテンツに対し、著作権を管理する義務を負う。
前述のプリントサービスでは、Ｗｅｂページを印刷対象の文書とすることも可能である。具体的には、ユーザー４５０は、画像処理装置１００のプリントサービスに印刷指示する際に、印刷したいＷｅｂページのＵＲＬを入力すると、プリントサービスのサーバーである画像処理装置１００が入力されたＵＲＬのＷｅｂページを、Ｗｅｂサーバー４００から取得して印刷データに変換し、上記と同様に番号を発行し、ユーザー４５０は、店舗４７０の画像形成装置２００に番号を入力し、料金を決済すると、印刷される。
Ｗｅｂページを、そのＷｅｂページ内のリンク情報や埋め込まれたコンテンツの著作権が管理されているにも関わらず印刷すると、利用者は著作権を侵害するおそれがあることになる。また、Ｗｅｂサーバー４００におけるＷｅｂサービス提供者が、コンテンツを表示するために著作権処理をしている場合であっても、そのコンテンツを印刷すると、印刷サービス提供者又は利用者であるユーザー４５０が著作権を侵害することになる可能性もある。
もちろんのことながら、Ｗｅｂページに限らず、画像形成装置２００がプリントサービスを用いて印刷する文書内に、著作権処理が必要な要素が含まれている場合があり得る。例えば、ユーザー４５０が自分で作成した文書であっても、他人の著作権がある要素を含めてしまうことはあり得る。
本実施の形態は、画像処理装置１００が提供するプリントサービスによって、著作権管理されている要素が含まれている文書を印刷する際に、その要素毎に、ユーザー４５０の意志を反映した印刷出力物を提供することができるようになる。
【０１１０】
なお、著作権管理装置４１０では、著作権処理が必要な要素の著作権者又は代理人等が、その要素の著作権を予め登録している。そして、著作権管理装置４１０は、登録された要素に対し、著作権ＩＤを発行する。例えば、図７を用いて後述する要素・著作権対応テーブル７００を生成、管理している。そして、要素ＩＤと著作権ＩＤの対応付けの他に、権利者ＩＤを対応付けて管理してもよい。また、著作権ＩＤと利用条件を対応付けて管理する。例えば、図８を用いて後述する著作権利用情報テーブル８００を生成、管理している。ここで、利用条件の例として、許諾する媒体（ＷｅｂサイトのリンクＯＫ、電子コピーＯＫ、印刷ＮＧ、商業利用の可否等）、条件毎の料金、著作権の概要（例えば、要素の説明文、その要素にアクセスするための情報（具体的には、ＵＲＬ等））、その要素を利用不要と指示された場合の加工処理（例えば、要約表示のための要約文、画像のサムネイル、画像の表示可能な解像度、印刷する画像の大きさ等の指定）等が含まれている。
著作権管理装置４１０の動作として、著作権ＩＤと、利用媒体や目的（目的として、例えば、印刷等がある）などの情報を受け付け、管理情報に基づき、前述の加工処理を応答する。
【０１１１】
また、Ｗｅｂサーバー４００は、一般的なコンテンツ管理サイトである。Ｗｅｂページを管理する際に、著作権のあるコンテンツが含まれるかをチェックし、著作権管理装置４１０に問い合わせ、応答した利用条件に基づきＷｅｂページを表示したり、決済処理を行うようにしたりしてもよい。
【０１１２】
著作権処理が必要な要素を含む文書として、Ｗｅｂページ、ＰＤＦ等の電子文書の場合、（１）タグに著作権ＩＤが埋め込まれていてもよい。この場合、画像処理装置１００、画像形成装置２００、又は、ユーザー端末３００は、著作権管理装置４１０に問い合わせて利用条件を取得できる。
（２）著作権情報を参照するリンクが埋め込まれていてもよい。この場合、文書提供者（又は著作権者）は、利用条件を含む著作権情報を用意しておき、そこを参照するためのＵＲＬを文書内に埋め込んでおく。画像処理装置１００、画像形成装置２００、又は、ユーザー端末３００は、そのＵＲＬにアクセスして、利用条件を取得できる。
【０１１３】
なお、既存のプリントサービスについて説明する。
１．ユーザーが、モバイル端末やＰＣ等の端末から文書や画像を、プリントサービスを行うサーバーにアップロードする。
「ウェブページ印刷」機能は、ユーザーがＵＲＬを指定すると、ＵＲＬのＷｅｂページをサーバーが取得する。
例えば、サーバーが、ＵＲＬを参照してＷｅｂページを取得するようにしてもよい。又は、モバイル端末やＰＣ等の端末のブラウザー等のアプリケーションがＵＲＬを参照してＷｅｂページを取得し、ＰＤＦや独自の印刷できる形式に変換してから、端末からプリントサービスを行うサーバーへアップロードする。
２．プリントサービスを行うサーバーは、アップロードされた文書や画像やＷｅｂページに対応づけて、ユーザーの端末に対し印刷の予約番号を発行する。
３．ユーザーは、コンビニエンスストア等に設置されたプリンタに、予約番号を入力する。
４．プリントサービスは、予約番号に対応する文書の印刷にかかる料金情報をプリンタに送信する。
５．ユーザーは、プリンタの画面に表示された印刷にかかる料金を決済する。
６．プリンタは、プリントサービスを行うサーバーへ印刷要求を送信し、サーバーから出力データを取得して印刷する。
【０１１４】
図５は、本実施の形態による処理例を示すフローチャートである。ユーザー４５０の操作にしたがって、ユーザー端末３００と画像処理装置１００との間で行われる処理例である。具体的には、ユーザー端末３００が、予約番号（文書を識別する情報の一例）を画像処理装置１００から受け取るまでの処理例を示すものである。なお、この処理例では、ユーザー端末３００が著作権に関する処理を行うようにしている。
【０１１５】
ステップＳ５０２では、ユーザー端末３００は、文書の指示を受け付ける。例えば、ユーザー４５０が対象としている文書が格納されているＵＲＬを直接に指定してもよいし、インターネットの検索システムを利用して、対象としている文書を検索してもよいし、文書管理システム（画像処理装置１００を含めてもよい）に記憶されている文書を指定してもよい。
【０１１６】
ステップＳ５０４では、ユーザー端末３００は、ステップＳ５０２で指示された文書を取得する。文書自体の他に、その文書の属性として、例えば文書・要素情報テーブル６００を取得してもよい。図６は、文書・要素情報テーブル６００のデータ構造例を示す説明図である。文書・要素情報テーブル６００は、文書ＩＤ欄６０５、文書名欄６１０、作成日時欄６１５、作成者欄６２０、要素数欄６２５、要素ＩＤ欄６３０を有している。文書ＩＤ欄６０５は、本実施の形態において、文書を一意に識別するための情報（具体的には文書ＩＤ：ＩＤｅｎｔｉｆｉｃａｔｉｏｎの略）を記憶している。文書名欄６１０は、その文書の文書名を記憶している。作成日時欄６１５は、その文書の作成日時（年、月、日、時、分、秒、秒以下、又はこれらの組み合わせであってもよい）を記憶している。作成者欄６２０は、その文書の作成者を記憶している。要素数欄６２５は、その文書に含まれている要素の数を記憶している。要素ＩＤ欄６３０は、本実施の形態において、要素を一意に識別するための情報（具体的には要素ＩＤ）を記憶している。
【０１１７】
ステップＳ５０６では、ユーザー端末３００は、文書内の要素を抽出する。文書・要素情報テーブル６００を用いて、要素を抽出してもよいし、対象となっている文書内を解析して要素を検出するようにしてもよい。
【０１１８】
ステップＳ５０８では、ユーザー端末３００は、抽出した要素に著作権処理が必要なものを抽出する。例えば、抽出した要素毎に著作権管理装置４１０に問い合わせて、著作権処理が必要な要素であるか否かを判断すればよい。ステップＳ５０８での処理結果として、例えば、要素・著作権対応テーブル７００を生成する。図７は、要素・著作権対応テーブル７００のデータ構造例を示す説明図である。要素・著作権対応テーブル７００は、要素ＩＤ欄７０５、著作権ＩＤ欄７１０を有している。要素ＩＤ欄７０５は、要素ＩＤを記憶している。著作権ＩＤ欄７１０は、本実施の形態において、その要素の著作権を一意に識別するための情報（具体的には著作権ＩＤ）を記憶している。つまり、要素・著作権対応テーブル７００によって管理される要素が、「著作権処理が必要な要素」となる。なお、要素・著作権対応テーブル７００は、文書内に埋め込まれていてもよい。
【０１１９】
また、著作権ＩＤに対応して著作権処理に必要な情報を著作権管理装置４１０から取得し、例えば著作権利用情報テーブル８００を生成する。図８は、著作権利用情報テーブル８００のデータ構造例を示す説明図である。著作権利用情報テーブル８００は、著作権ＩＤ欄８０５、著作権者欄８１０、名称欄８１５、サイズ欄８２０、利用条件欄８２５、非利用時の表示条件欄８４０を有しており、利用条件欄８２５は、利用料欄８３０、その他欄８３５を有しており、非利用時の表示条件欄８４０は、加工処理内容欄８４５、その他欄８５０を有している。著作権ＩＤ欄８０５は、著作権ＩＤを記憶している。著作権者欄８１０は、その著作物の著作権者を記憶している。名称欄８１５は、その著作物の名称を記憶している。サイズ欄８２０は、その著作物のサイズを記憶している。例えばその要素が画像データの場合は画像の縦横画素数であったり、テキストデータの場合は文字数やフォントサイズ、データ容量等を記憶している。利用条件欄８２５は、その著作物の利用条件を記憶している。利用料欄８３０は、その著作物を利用するにあたっての料金を記憶している。その他欄８３５は、その著作物を利用する場合のその他の条件を記憶している。例えば著作権表記を指示する情報や再配布の可否の条件などである。非利用時の表示条件欄８４０は、その著作物を利用しない場合の表示条件を記憶している。加工処理内容欄８４５は、その著作物に対しての加工処理の内容を記憶している。例えば、その著作物の削除、黒塗り、その著作物がテキストデータの場合であるとその著作物と置換して表示する要約文、その著作物が画像データの場合であるとｘＤＰＩ（ｘは予め定められた値、ＤＰＩ：Ｄｏｔｓ  Ｐｅｒ  Ｉｎｃｈの略）以下の解像度に変更すること等がある。その他欄８５０は、その著作物を利用しない場合のその他の条件を記憶している。
ステップＳ５１０では、ユーザー端末３００は、著作権処理が必要な要素があるか否かを判断し、ある場合はステップＳ５１２へ進み、それ以外の場合はステップＳ５１６へ進む。
【０１２０】
ステップＳ５１２では、ユーザー端末３００は、ユーザーに要素毎に出力するか否かの指定を行わせる。
ステップＳ５１４では、ユーザー端末３００は、著作権処理に必要となる料金を算出する。
ステップＳ５１６では、ユーザー端末３００は、その文書を印刷する場合の料金を算出する。
【０１２１】
ステップＳ５１８では、ユーザー端末３００は、ユーザーは了承するか否かを判断し、了承する場合はステップＳ５２０へ進み、それ以外の場合はステップＳ５０２へ戻る。
ステップＳ５２０では、ユーザー端末３００は、文書と要素毎の出力要否結果と著作権利用情報テーブル８００に記憶した情報とを画像処理装置１００に登録する。
ステップＳ５２２では、ユーザー端末３００は、画像処理装置１００から予約番号を受け取る。
【０１２２】
ステップＳ５５２では、画像処理装置１００は、ユーザー端末３００から文書を受信する。
ステップＳ５５４では、画像処理装置１００は、予約番号を生成する。例えば、対象文書情報テーブル９００を生成する。図９は、対象文書情報テーブル９００のデータ構造例を示す説明図である。対象文書情報テーブル９００は、文書ＩＤ欄９０５、ＵＲＬ欄９１０、予約番号欄９１５、日時欄９２０、ユーザー欄９２５、印刷データ欄９３０、印刷属性欄９３５、印刷のみの料金欄９４０、著作利用料欄９４５、総額欄９５０、著作権処理が必要な要素数欄９５５、要素ＩＤ欄９６０、加工要否欄９６５、加工処理内容欄９７０、要素利用料金欄９７５を有している。文書ＩＤ欄９０５は、文書ＩＤを記憶している。ＵＲＬ欄９１０は、その文書を記憶しているＵＲＬを記憶している。予約番号欄９１５は、予約番号を記憶している。日時欄９２０は、その予約番号の発行の日時を記憶している。ユーザー欄９２５は、その予約番号を取得するユーザー（ユーザー端末３００を操作しているユーザー）を記憶している。印刷データ欄９３０は、印刷データを記憶している。印刷属性欄９３５は、印刷属性を記憶している。印刷属性として、例えば、印刷部数、白黒／カラー、用紙サイズ、拡大／縮小率等がある。印刷のみの料金欄９４０は、印刷のみの料金を記憶している。著作利用料欄９４５は、著作権のある要素を印刷するにあたっての利用料を記憶している。総額欄９５０は、その文書を印刷するにあたっての総額（印刷のみの料金欄９４０内の料金と著作利用料欄９４５内の料金とを加算した値）を記憶している。著作権処理が必要な要素数欄９５５は、著作権処理が必要な要素数を記憶している。著作権処理が必要な要素数欄９５５内の数だけ、要素ＩＤ欄９６０と加工要否欄９６５と加工処理内容欄９７０と要素利用料金欄９７５等の組み合わせが著作権処理が必要な要素数欄９５５の後に続く。要素ＩＤ欄９６０は、要素ＩＤを記憶している。加工要否欄９６５は、その要素を加工する必要があるか否かを記憶している。加工処理内容欄９７０は、その要素を加工する場合の処理内容を記憶している。要素利用料金欄９７５は、その要素を利用する場合の料金を記憶している。
ステップＳ５５６では、画像処理装置１００は、予約番号をユーザー端末３００に返信する。
【０１２３】
ステップＳ５５８では、画像処理装置１００は、出力不要である要素を利用条件にしたがった加工を行う。
ステップＳ５６０では、画像処理装置１００は、出力イメージを生成する。
【０１２４】
そして、画像形成装置２００で文書が印刷された場合に、画像形成装置２００によって料金テーブル１０００が生成され、画像処理装置１００に送信される。図１０は、料金テーブル１０００のデータ構造例を示す説明図である。料金テーブル１０００は、印刷ＩＤ欄１００５、文書ＩＤ欄１０１０、日時欄１０１５、ユーザー欄１０２０、総額欄１０２５、印刷のみの料金欄１０３０、利用された要素数欄１０３５、要素ＩＤ欄１０４０、利用料欄１０４５を有している。印刷ＩＤ欄１００５は、本実施の形態において、印刷を一意に識別するための情報（具体的には印刷ＩＤ）を記憶している。文書ＩＤ欄１０１０は、その印刷ＩＤで印刷された文書の文書ＩＤを記憶している。日時欄１０１５は、その印刷が行われた日時を記憶している。ユーザー欄１０２０は、その印刷を指示したユーザーを記憶している。総額欄１０２５は、その印刷での利用料の総額を記憶している。印刷のみの料金欄１０３０は、印刷のみの料金を記憶している。利用された要素数欄１０３５は、利用された要素数を記憶している。利用された要素数欄１０３５に記述された要素数の数だけ、要素ＩＤ欄１０４０、利用料欄１０４５の組み合わせが利用された要素数欄１０３５の後に続く。要素ＩＤ欄１０４０は、要素ＩＤを記憶している。利用料欄１０４５は、その要素の利用料を記憶している。
【０１２５】
図１１は、本実施の形態による処理例を示すフローチャートである。ユーザー４５０の操作にしたがって、画像形成装置２００と画像処理装置１００との間で行われる処理例である。具体的には、画像形成装置２００が予約番号（文書を識別する情報の一例）を、ユーザーの操作によって受け取って、その予約番号に対応する出力データを画像処理装置１００から受信して、印刷するまでの処理例を示すものである。
【０１２６】
ステップＳ１１０２では、画像形成装置２００は、ユーザーの操作から予約番号を受け付ける。
ステップＳ１１０４では、画像形成装置２００は、予約番号を画像処理装置１００に送信する。
【０１２７】
ステップＳ１１５２では、画像処理装置１００は、画像形成装置２００から予約番号を受信する。
ステップＳ１１５４では、画像処理装置１００は、予約番号に対応する文書の出力データを抽出する。
ステップＳ１１５６では、画像処理装置１００は、出力データを画像形成装置２００に送信する。
【０１２８】
ステップＳ１１０６では、画像形成装置２００は、画像処理装置１００から出力データを受信する。
ステップＳ１１０８では、画像形成装置２００は、印刷のための料金（総額）を提示する。
ステップＳ１１１０では、画像形成装置２００は、その料金の決済は済んだか否かを判断し、済んだ場合はステップＳ１１１２へ進み、それ以外の場合はステップＳ１１０２へ戻る。
【０１２９】
ステップＳ１１１２では、画像形成装置２００は、ユーザーの操作にしたがって、印刷するか否かを判断し、印刷する場合はステップＳ１１１４へ進み、それ以外の場合はステップＳ１１０２へ戻る。
ステップＳ１１１４では、画像形成装置２００は、印刷する。
ステップＳ１１１６では、画像形成装置２００は、決済データを含む印刷ログを画像処理装置１００に送信する。例えば、前述の料金テーブル１０００を画像処理装置１００に送信する。
【０１３０】
ステップＳ１１５８では、画像処理装置１００は、画像形成装置２００から印刷ログを受信する。
ステップＳ１１６０では、画像処理装置１００は、要素毎に著作権の課金データを著作権管理装置４１０に送信する。
【０１３１】
図１２は、本実施の形態による処理例を示す説明図である。
前処理として、ステップＳ１２０２、ステップＳ１２０４が行われている。
ステップＳ１２０２では、Ｗｅｂサーバー４００は、著作権管理装置４１０に対して、予め、元コンテンツ１２６２の著作権を登録する。
ステップＳ１２０４では、Ｗｅｂサーバー４００は、著作権管理装置４１０から著作権ＩＤを取得する。
なお、Ｗｅｂサイト１２５０内にはＷｅｂページ１２５２があり、さらにそのＷｅｂページ１２５２内にはコンテンツ１２５４がある。そして、コンテンツ１２５４は、コンテンツ記憶モジュール１２６０内の元コンテンツ１２６２へリンクしている。つまり、Ｗｅｂページ１２５２を印刷する場合は、著作権処理が必要な元コンテンツ１２６２が含まれていることになる。
【０１３２】
印刷の予約処理として、ステップＳ１２１２からステップＳ１２３０までの処理を行う。
ステップＳ１２１２では、ユーザー端末３００は、ユーザー４５０の操作にしたがって、ＵＲＬ印刷指示を行う。
ステップＳ１２１４では、ユーザー端末３００は、ＵＲＬ（Ｗｅｂサーバー４００）にアクセスする。
ステップＳ１２１６では、ユーザー端末３００は、Ｗｅｂサーバー４００からＷｅｂページを取得する。
【０１３３】
ステップＳ１２１８では、ユーザー端末３００は、文書内の要素であるコンテンツを解析する。
ステップＳ１２２０では、ユーザー端末３００は、著作権管理装置４１０に対して、著作権ＩＤで、その著作物の利用条件を問い合わせる。
ステップＳ１２２２では、著作権管理装置４１０は、ユーザー端末３００に対して、利用条件を送信する。
【０１３４】
ステップＳ１２２４では、ユーザー端末３００は、ユーザー４５０の操作にしたがって、コンテンツ毎に、印刷要否を設定し、料金を計算する。
ステップＳ１２２６では、ユーザー端末３００は、ユーザー４５０の操作にしたがって、印刷の指示を受け付ける。
ステップＳ１２２８では、ユーザー端末３００は、画像処理装置１００に印刷対象である文書をアップロードする。
ステップＳ１２３０では、画像処理装置１００は、ユーザー端末３００に対して予約番号を送信する。
【０１３５】
画像形成装置２００での印刷処理として、ステップＳ１２３２からステップＳ１２４４までの処理を行う。ユーザー４５０は、店舗４７０に来店し、画像形成装置２００の操作を行う。
ステップＳ１２３２では、画像形成装置２００は、ユーザー４５０’の操作によって予約番号を受け付け、画像処理装置１００に送信する。
ステップＳ１２３４では、画像処理装置１００内のプリントサービス１２１０は、その予約番号に対応する文書の出力データを生成する。
ステップＳ１２３６では、画像処理装置１００は、画像形成装置２００に対して、出力データを送信する。画像形成装置２００は、その出力データを受信する。
ステップＳ１２３８では、画像形成装置２００では、ユーザー４５０’による決済を行う。
【０１３６】
ステップＳ１２４０では、画像形成装置２００は、対象となっている文書（ステップＳ１２３６で受信した出力データ）を印刷する。
ステップＳ１２４２では、画像形成装置２００は、画像処理装置１００に対して、決済データを送信する。例えば、料金テーブル１０００を送信する。
ステップＳ１２４４では、画像処理装置１００は、著作権管理装置４１０に著作権課金データを送信する。例えば、要素毎の決済された課金データ（具体的には、料金テーブル１０００の要素ＩＤ欄１０４０と利用料欄１０４５の組み合せ）を送信する。
【０１３７】
図１３は、本実施の形態による処理例を示す説明図である。例えば、ユーザー４５０がユーザー端末３００のプリントを行うためのアプリケーションを起動した場合の例を示すものである。
図１２の例に示したステップＳ１２１２の処理例を示すものであり、ユーザー端末３００の画面１３００における表示例を示すものである。
図１３（ａ）では、プリントサービスにおける初期画面の例を示している。
画面１３００には、コメント表示領域１３１０、「ファイルをプリント」ボタン１３１２、「写真をプリント」ボタン１３１４、「ウェブページをプリント」ボタン１３１６、「テキストをプリント」ボタン１３１８を表示する。
【０１３８】
ユーザー４５０の操作によって、「ウェブページをプリント」ボタン１３１６が選択された場合に、図１３（ｂ）に示す表示例になる。
図１３（ｂ）では、ユーザー４５０の操作によってＵＲＬが指定され、印刷対象であるＷｅｂページを表示した例を示すものである。
画面１３００には、ＵＲＬ指定領域１３２０、プレビュー領域１３２２、プレビューボタン１３２４を表示する。ＵＲＬ指定領域１３２０には、ユーザー４５０の操作によってＵＲＬが入力される。プレビュー領域１３２２には、そのＵＲＬのＷｅｂページを表示する。
【０１３９】
ユーザー４５０の操作によって、プレビューボタン１３２４が選択された場合に、図１３（ｃ）に示す表示例になる。
図１３（ｃ）では、印刷対象であるＷｅｂページのプレビューを表示する。そして、画面１３００には、印刷範囲設定領域１３３０を表示する。印刷範囲設定領域１３３０は、「現在表示中の範囲のみ」ボタン１３３２、「このページ全体をプリント」ボタン１３３４を含んでいる。
【０１４０】
ユーザー４５０の操作によって、「このページ全体をプリント」ボタン１３３４が選択された場合に、図１４（ａ１）に示す表示例になる。画面１３００には、例えば、縮小画像（１ページ目）１４１０、縮小画像（２ページ目）１４１２、縮小画像（３ページ目）１４１４、縮小画像（４ページ目）１４１６、縮小画像（５ページ目）１４１８、縮小画像（６ページ目）１４２０、戻るボタン１４２２、送信ボタン１４２４を表示する。
プレビュー画面として、ここでは印刷が１３ページになり、４ページ目に著作権処理が必要な要素（著作権画像１４３０）が含まれていることを示している。例えば、著作権画像１４３０は、著作権処理が必要な要素であることを示すために、赤枠で囲む。もちろんのことながら、赤枠で囲む表示例の他に、太枠で囲む、点滅させる等のように、他の要素（著作権処理が不要な要素）とは異なることを示す表示を行えばよい。
【０１４１】
また、図１４（ａ２）の例に示すように、この著作権画像１４３０に対して、印刷対象とするか否かをユーザー４５０に問い合わせるようにしてもよい。
画面１３００には、プレビュー画面上に著作権利用コメント表示領域１４４０を表示し、その著作権利用コメント表示領域１４４０には、ＯＫボタン１４４２、ＮＯボタン１４４４を表示する。
ユーザー４５０は、著作権画像１４３０について、ＯＫボタン１４４２の選択によって「課金して印刷」、ＮＯボタン１４４４の選択によって「印刷しない」を設定できるようにしている。
【０１４２】
図１４（ａ１）又は（ａ２）の例で、送信ボタン１４２４がユーザー４５０によって選択された場合に、図１４（ｂ）の表示例に移る。
図１４（ｂ）の例では、画面１３００には、コメント表示領域１４５０、アップロードボタン１４５９を表示する。コメント表示領域１４５０には、用紙サイズ表示領域１４５２、カラーモード表示領域１４５４、予約番号タイプ表示領域１４５６、暗証番号表示領域１４５８等を表示する。印刷における用紙サイズ、カラーモード（カラー印刷か白黒印刷かの指定）、予約番号の型（英数字、英字のみ等）、プリントサービスを用いるための暗証番号等の設定を可能としている。
アップロードボタン１４５９がユーザー４５０によって選択された場合、ユーザー端末３００は、ＵＲＬのＷｅｂページデータを取得し、ＰＤＦや印刷データに変換して、画像処理装置１００へアップロードする。又は、ユーザー端末３００は、そのＵＲＬを画像処理装置１００に送信するのみであり、画像処理装置１００がＵＲＬのＷｅｂページデータを取得し、ＰＤＦや印刷データに変換してもよい。
【０１４３】
ユーザー４５０の操作によって、アップロードボタン１４５９が選択された場合に、図１４（ｃ）に示す表示例になる。
画面１３００には、コメント表示領域１４６０、予約プリント表示領域１４６２を表示する。予約番号が発行された画面の例を示すものである。
予約プリント表示領域１４６２には、例えば、「プリント予約番号：３ＦＤＸＱ３４Ｈ、プリント有効期限：２０１９／０１／２３  ２３：５９：５９、ファイル名：ｄｏｃｕｍｅｎｔ＿ＡＡＡ」と表示する。
【０１４４】
図１５は、本実施の形態による処理例を示す説明図である。
画面１３００には、印刷属性表示領域１５００、閉じるボタン１５２６を表示する。印刷属性表示領域１５００には、ファイル名表示領域１５１０、プリント予約番号表示領域１５１２、暗証番号設定表示領域１５１４、用紙サイズ表示領域１５１６、ページ数表示領域１５１８、カラーモード表示領域１５２０、金額表示領域１５２２、著作権利用料表示領域１５２４を表示する。
印刷金額を表示するようにしてもよい。特に、著作権利用料表示領域１５２４には、著作権処理が必要な要素を印刷した場合の利用料を表示する。例えば、「うち、著作権利用料１２．５円、店舗での印刷時に変更できます」と表示する。また、著作権利用料表示領域１５２４を赤枠で囲むようにしてもよい。もちろんのことながら、赤枠で囲む表示例の他に、太枠で囲む、点滅させる等のように、著作権にかかる料金であることを示す表示を行えばよい。
【０１４５】
図１６は、本実施の形態による処理例を示すフローチャートである。ユーザー４５０の操作にしたがって、ユーザー端末３００と画像処理装置１００との間で行われる処理例である。具体的には、ユーザー端末３００が、予約番号（文書を識別する情報の一例）を画像処理装置１００から受け取るまでの処理例を示すものである。なお、この処理例では、画像処理装置１００が著作権に関する処理を行うようにしている。
【０１４６】
ステップＳ１６０２では、ユーザー端末３００は、ユーザー４５０の操作によるＵＲＬ印刷指示を受け付ける。
ステップＳ１６０４では、ユーザー端末３００は、ＵＲＬ印刷指示（ＵＲＬを含む）を画像処理装置１００に送信する。
【０１４７】
ステップＳ１６５２では、画像処理装置１００は、ユーザー端末３００からＵＲＬ印刷指示を受信する。
ステップＳ１６５４では、画像処理装置１００は、ＵＲＬにアクセスする。
ステップＳ１６５６では、画像処理装置１００は、Ｗｅｂページを取得する。
ステップＳ１６５８では、画像処理装置１００は、Ｗｅｂページ内の要素を抽出する。
【０１４８】
ステップＳ１６６０では、画像処理装置１００は、抽出した要素に著作権処理が必要なものを抽出する。
ステップＳ１６６２では、画像処理装置１００は、著作権処理が必要な要素はあるか否かを判断し、ある場合はステップＳ１６６４へ進み、それ以外の場合はステップＳ１６６６へ進む。
ステップＳ１６６４では、画像処理装置１００は、著作権処理が必要な要素の料金を抽出する。
【０１４９】
ステップＳ１６６６では、画像処理装置１００は、そのＷｅｂページを印刷する場合の料金を算出する。
ステップＳ１６６８では、画像処理装置１００は、予約番号を生成する。
ステップＳ１６７０では、画像処理装置１００は、予約番号と料金をユーザー端末３００に送信する。
【０１５０】
ステップＳ１６０６では、ユーザー端末３００は、画像処理装置１００から予約番号と料金を受信する。
ステップＳ１６０８では、ユーザー端末３００は、ユーザー４５０に対して、予約番号と料金を表示する。
【０１５１】
図１７は、本実施の形態による処理例を示すフローチャートである。ユーザー４５０の操作にしたがって、画像形成装置２００と画像処理装置１００との間で行われる処理例である。具体的には、画像形成装置２００が予約番号（文書を識別する情報の一例）を、ユーザーの操作によって受け取って、その予約番号に対応する出力データを画像処理装置１００から受信して、印刷するまでの処理例を示すものである。なお、この処理例では、画像形成装置２００が著作権に関する処理を行うようにしている。
【０１５２】
ステップＳ１７０２では、画像形成装置２００は、ユーザーの操作から予約番号を受け付ける。
ステップＳ１７０４では、画像形成装置２００は、予約番号を画像処理装置１００に送信する。
【０１５３】
ステップＳ１７５２では、画像処理装置１００は、画像形成装置２００から予約番号を受信する。
ステップＳ１７５４では、画像処理装置１００は、予約番号に対応する文書を抽出する。
ステップＳ１７５６では、画像処理装置１００は、文書を画像形成装置２００に送信する。
【０１５４】
ステップＳ１７０６では、画像形成装置２００は、画像処理装置１００から文書を受信する。
ステップＳ１７０８では、画像形成装置２００は、文書内の要素を抽出する。
ステップＳ１７１０では、画像形成装置２００は、抽出した要素に著作権処理が必要なものを抽出する。
【０１５５】
ステップＳ１７１２では、画像形成装置２００は、著作権処理が必要な要素があるか否かを判断し、ある場合はステップＳ１７１４へ進み、それ以外の場合はステップＳ１７１８へ進む。
ステップＳ１７１４では、画像形成装置２００は、ユーザーに要素毎に出力するか否かの指定を行わせる。
ステップＳ１７１６では、画像形成装置２００は、著作権処理に必要となる料金を算出する。
【０１５６】
ステップＳ１７１８では、画像形成装置２００は、その文書を印刷する場合の料金を算出する。
ステップＳ１７２０では、画像形成装置２００は、決済は済んだか否かを判断し、済んだ場合はステップＳ１７２２へ進み、それ以外の場合はステップＳ１７０２へ戻る。
ステップＳ１７２２では、画像形成装置２００は、印刷するか否かを判断し、印刷する場合はステップＳ１７２４へ進み、それ以外の場合はステップＳ１７０２へ戻る。
【０１５７】
ステップＳ１７２４では、画像形成装置２００は、指定された要素毎に出力の要否に応じた加工処理を行い、出力データを生成した後に、印刷する。
ステップＳ１７２６では、画像形成装置２００は、決済データを含む印刷ログを画像処理装置１００に送信する。
【０１５８】
ステップＳ１７５８では、画像処理装置１００は、画像形成装置２００から印刷ログを受信する。
ステップＳ１７６０では、画像処理装置１００は、要素毎に著作権の課金データを著作権管理装置４１０に送信する。
【０１５９】
図１８は、本実施の形態による処理例を示す説明図である。
前処理として、ステップＳ１８０２、ステップＳ１８０４が行われている。
ステップＳ１８０２では、Ｗｅｂサーバー４００のコンテンツ記憶モジュール１２６０は、著作権管理装置４１０に対して、予め、元コンテンツ１２６２の著作権を登録する。
ステップＳ１８０４では、Ｗｅｂサーバー４００のコンテンツ記憶モジュール１２６０は、著作権管理装置４１０から著作権ＩＤを取得する。
【０１６０】
印刷の予約処理として、ステップＳ１８５２からステップＳ１８６８までの処理を行う。
ステップＳ１８５２では、ユーザー端末３００は、ユーザー４５０の操作にしたがって、ＵＲＬ印刷を画像処理装置１００に指示する。
ステップＳ１８５４では、画像処理装置１００は、ＵＲＬ（Ｗｅｂサーバー４００）にアクセスする。
ステップＳ１８５６では、画像処理装置１００は、Ｗｅｂサーバー４００からＷｅｂページを取得する。
【０１６１】
ステップＳ１８５８では、画像処理装置１００は、Ｗｅｂページ内の要素であるコンテンツを解析する。
ステップＳ１８６０では、画像処理装置１００は、著作権管理装置４１０に対して、著作権ＩＤで、その著作物の利用条件を問い合わせる。
ステップＳ１８６２では、著作権管理装置４１０は、画像処理装置１００に対して、利用条件を送信する。
【０１６２】
ステップＳ１８６４では、画像処理装置１００は、対象となっているＷｅｂページを印刷するための料金を計算する。
ステップＳ１８６６では、画像処理装置１００は、対象となっているＷｅｂページを印刷するための予約番号を発行する。
ステップＳ１８６８では、画像処理装置１００は、ユーザー端末３００に対して、予約番号を送信する。
【０１６３】
画像形成装置２００での印刷処理として、ステップＳ１８７０からステップＳ１８８８までの処理を行う。ユーザー４５０は、店舗４７０に来店し、画像形成装置２００の操作を行う。
ステップＳ１８７０では、画像形成装置２００は、ユーザー４５０’の操作によって予約番号を受け付け、画像処理装置１００に送信する。
ステップＳ１８７２では、画像形成装置２００は、画像処理装置１００に対して、文書データと課金データを送信する。
【０１６４】
ステップＳ１８７４では、画像形成装置２００は、著作権処理が必要な要素である各コンテンツについて、ユーザー４５０’の操作によって印刷要否を設定する。
ステップＳ１８７６では、画像形成装置２００は、ユーザー４５０’による決済を行う。
ステップＳ１８７８では、画像形成装置２００は、ユーザー４５０’の操作によって印刷の指示を受け付ける。
ステップＳ１８８０では、画像形成装置２００は、画像処理装置１００に対して、著作権コンテンツの要否情報を送信する。
【０１６５】
ステップＳ１８８２では、画像処理装置１００は、設定に基づき、著作権処理が必要な要素であるコンテンツの加工を行い、出力データを生成する。
ステップＳ１８８４では、画像処理装置１００は、画像形成装置２００に対して、出力データを送信する。画像形成装置２００は、その出力データを受信する。
【０１６６】
ステップＳ１８８６では、画像形成装置２００は、対象となっている文書（ステップＳ１８８４で受信した出力データ）を印刷する。
ステップＳ１８８８では、画像形成装置２００は、画像処理装置１００に対して、決済データを送信する。
ステップＳ１８９０では、画像処理装置１００は、著作権管理装置４１０に著作権課金データを送信する。例えば、要素毎の決済された課金データ（具体的には、料金テーブル１０００の要素ＩＤ欄１０４０と利用料欄１０４５の組み合せ）を送信する。
【０１６７】
図１９は、本実施の形態による処理例を示す説明図である。図１８の例に示したステップＳ１８７０における予約番号の受け付け処理例を示すものである。
画像形成装置２００の操作画面に表示する情報は、情報処理装置１００のＷｅｂサーバがＨＴＬＭ形式の画面情報として生成し、画像形成装置２００の操作画面のＷｅｂブラウザが表示し、ユーザー４５０’は画像形成装置２００の操作画面を利用して予約番号の入力や印刷設定、著作権で管理されている要素の出力要否の設定、決済情報の入力等を行うようにしてもよい。また、情報処理装置１００は文書データや課金データや対象文書情報テーブル９００の情報を画像形成装置２００に送信し、画像形成装置２００側で以下で説明する設定画面を生成し、ユーザー４５０’に操作させるようにしてもよい。
画像形成装置２００の画面１９００には、コメント表示領域１９１０、予約番号領域１９２０を表示する。予約番号領域１９２０に、予約番号受付領域１９２５を表示する。
コメント表示領域１９１０には、例えば「プリント予約番号を入力し、［確認］ボタンを押してください。」と表示する。
ユーザー４５０’は、予約番号受付領域１９２５に「予約番号」入力する。例えば、ユーザー４５０’は、コメント表示領域１９１０の案内にしたがって、８桁のプリント予約番号をタッチパネルで入力する。この予約番号が入力されることによって、図１８の例に示すステップＳ１８５２等で印刷の予約をした文書の出力データのダウンロードが始まる。
【０１６８】
図２０は、本実施の形態による処理例を示す説明図である。図１９の例に示したように、予約番号が入力された場合の表示例を示すものである。
画像形成装置２００の画面１９００には、コメント表示領域１９１０、印刷属性等表示・設定領域２０２０を表示する。
印刷属性等表示・設定領域２０２０には、印刷属性表示・設定領域２０２２、縮小画像表示領域２０２４、著作権処理必要コンテンツ２０２６、著作権処理コメント表示領域２０２８、「はい」ボタン２０３０、「いいえ」ボタン２０３２、利用料表示領域２０３４、「これで決定  次へ進む」ボタン２０３６を表示する。
コメント表示領域１９１０には、例えば「料金とプリント設定を確認して、［これで決定］ボタンを押してください。」と表示する。
【０１６９】
著作権処理コメント表示領域２０２８には、例えば「この画像は著作権で管理されています。利用の設定を変更しますか？」と表示し、印刷対象としている文書には、著作権処理が必要な要素である画像を含むことが表示されている。
縮小画像表示領域２０２４では、文書のプレビュー画面に、著作権で保護されているコンテンツが含まれていることを示す著作権処理必要コンテンツ２０２６を重畳して表示する。
縮小画像表示領域２０２４内の著作権処理必要コンテンツ２０２６を印刷対象とするか否かの意思を示すための「はい」ボタン２０３０、「いいえ」ボタン２０３２を表示している。ユーザー４５０’によって「はい」ボタン２０３０が選択されると、著作権処理が必要な要素の印刷の可否を設定する画面（図２１に示す表示例）を表示する。
【０１７０】
利用料表示領域２０３４には、例えば、１行目に「プリント単価が６０円であること」、２行目に「プリント料金（総額）が２５２．５円であること」、３行目に、「その総額のうち、著作権利用料が１２．５円であること」を表示する。ここでの著作権利用料は、著作権で管理されている要素を印刷指示した部分の料金の総額である。
【０１７１】
図２１は、本実施の形態による処理例を示す説明図である。
画像形成装置２００の画面１９００には、コメント表示領域１９１０、縮小画像表示領域２１２４、前ページボタン２１２７、次ページボタン２１２８、著作権情報表示領域２１３０、利用料表示領域２１４０、印刷指示領域２１５０を表示する。
縮小画像表示領域２１２４には、印刷文書のプレビュー表示を行い、ページ内でどの部分が著作権処理が必要なコンテンツかを参照できるように表示を行う。例えば、縮小画像表示領域２１２４に、著作権処理必要コンテンツ２１２６を赤枠で囲み、その赤枠内を薄い赤にしている。もちろんのことながら、著作権処理が必要なコンテンツであることを示すための表示形態として他の表示形態を用いるようにしてもよい。
なお、この例では、ページ単位又はコンテンツ単位で、料金を払うか否かを設定できるようにしている。
著作権情報表示領域２１３０には、料金を払うべきかを判断するために、著作権の情報を表示する。
【０１７２】
利用料表示領域２１４０には、例えば、１行目に「プリント料金が２５２．５円であること」、２行目に「そのプリント料金のうち著作権利用料が１２．５円であること」を表示する。ここでの著作権利用料は、著作権で管理されている要素を印刷指示した部分の料金の総額である。
印刷指示領域２１５０には、例えば「このコンテンツを印刷しますか？」と表示し、はいボタン２１５２、いいえボタン２１５４を併せて表示する。つまり、「著作権処理が必要な要素の利用の要否の指示」を受け付けるユーザーインタフェースの一例である。
【０１７３】
図２２は、本実施の形態による処理例を示す説明図である。図２１の例に示した縮小画像表示領域２１２４内の表示例を示すものである。
図２２（ａ）に示す表示例は、印刷するか否かを設定する前の表示例である。縮小画像表示領域２１２４ａ内の著作権処理コンテンツ２２２６ａを赤枠で囲み、その赤枠内を薄い赤にしている。図２１の表示例と同じ状態である。
図２２（ｂ）に示す表示例は、「印刷する」と設定した場合の状態の表示例である。縮小画像表示領域２１２４ｂ内の著作権処理コンテンツ２２２６ｂを赤枠で囲み、その赤枠内は透明にしている。つまり、著作権処理コンテンツ２２２６ｂの元のコンテンツそのものを表示している。なお、著作権処理が必要なコンテンツであることを示す赤枠はそのままとしている。
図２２（ｃ）に示す表示例は、「印刷しない」と設定した場合の状態の表示例である。縮小画像表示領域２１２４ｃ内の著作権処理コンテンツ２２２６ｃを赤枠で囲み、その赤枠内を「×」表示にしている。つまり、著作権処理コンテンツ２２２６ｃのコンテンツは表示しない。なお、著作権処理が必要なコンテンツであることを示す赤枠はそのままとしている。
【０１７４】
図２３は、本実施の形態による処理例を示す説明図である。画像形成装置２００で印刷を行った場合の例を示すものである。図２３（ｂ）、（ｃ）、（ｄ）に示す印刷例は、利用不要と指示された要素を、その要素に対応する利用条件に応じた加工を行い、その要素と置き換えて生成された出力データを印刷した例である。
図２３（ａ）に示す印刷例は、料金を払って印刷した場合の例を示すものである。つまり、印刷用紙２３００ａには、著作権処理コンテンツ２３２６ａを印刷している。この例では、著作権処理を行った要素である著作権処理コンテンツ２３２６ａを識別するために点線で囲った印刷例を記載しているが、料金を払って著作権を適切に処理して利用しているので、著作権処理コンテンツ２３２６ａを示す点線を印刷しないようにしてもよい。
図２３（ｂ）に示す印刷例は、「印刷しない」と設定した場合の例を示すものである。つまり、印刷用紙２３００ｂでは、著作権処理が必要なコンテンツの部分（著作権処理コンテンツ２３２６ｂ）を白抜けとしている。なお、赤枠はあってもなくてもよい。そのコンテンツに対応する利用条件として、「削除」が設定されていた場合の例を示している。
図２３（ｃ）に示す印刷例は、「印刷しない」と設定した場合の例を示すものである。つまり、印刷用紙２３００ｃでは、著作権処理が必要なコンテンツの部分（著作権処理コンテンツ２３２６ｃ）を内容が分からない程度に情報を劣化させて印刷している。そのコンテンツに対応する利用条件として、「文字毎に黒塗り」が設定されていた場合の例を示している。
図２３（ｄ）に示す印刷例は、「印刷しない」と設定した場合の例を示すものである。つまり、印刷用紙２３００ｄでは、著作権処理が必要なコンテンツの部分（著作権処理コンテンツ２３２６ｄ）を著作権情報に置き換えて印刷している。ここでの著作権情報として、例えば、著作権処理が必要なコンテンツにアクセスするための情報（具体的には、コンテンツが格納されているＵＲＬ）を印刷している。そのコンテンツに対応する利用条件として、「コンテンツの代わりに、著作権情報（コンテンツへのアクセス情報）に置き換え」が設定されていた場合の例を示している。
【０１７５】
図２４は、本実施の形態による処理例を示す説明図である。画像形成装置２００で印刷を行った場合の例を示すものである。図２４（ａ）、（ｂ）に示す印刷例は、利用不要と指示された要素を、その要素に対応する利用条件に応じた加工を行い、その要素と置き換えて生成された出力データを印刷した例である。
図２４（ａ）に示す印刷例は、ユーザー４５０によって、広告付き印刷（無料）が選択された場合の例を示すものである。著作権の使用料金はかからないが、印刷用紙２４００ａに広告が重畳されて印刷される。具体的には、印刷用紙２４００ａでは、元の著作権処理コンテンツ２４２６ａが印刷されるが、広告印刷領域２４４０、広告印刷領域２４４２も印刷されている。
なお、広告付き印刷のユーザーインタフェースとして、図２０の例で示した「はい」ボタン２０３０、「いいえ」ボタン２０３２の他に、広告付き印刷ボタンを表示するようにしてもよい。
【０１７６】
図２４（ｂ）に示す印刷例は、料金を払って印刷した場合の例を示すものである。つまり、印刷用紙２４００ｂでは、著作権処理コンテンツ２４２６ｂを印刷されている。ただし、著作権で管理されている部分（著作権処理コンテンツ２４２６ｂ）には、電子透かしを重畳して印刷して、複写を禁止している。ここでの電子透かしは、複写した場合に画質を劣化させるようにしたものであってもよいし、複写した場合に追跡できる情報（例えば、印刷指示したユーザーを示す情報、印刷処理した画像形成装置２００を示す情報等）が埋め込まれていてもよい。
【０１７７】
なお、図５の例に示すフローチャートと図１１の例に示すフローチャートの組み合わせ、図１６の例に示すフローチャートと図１７の例に示すフローチャートの組み合わせの他に、図５の例に示すフローチャートと図１７の例に示すフローチャートの組み合わせとしてもよい。
つまり、ユーザー端末３００で著作権処理が必要なコンテンツをユーザーに選択させ、かつ、画像形成装置２００でも著作権処理が必要なコンテンツをユーザーに選択させるようにしてもよい。
この場合、印刷の直前の選択である画像形成装置２００での選択処理を優先させる。また、同じコンテンツに対して、異なる選択を行った場合（例えば、ユーザー端末３００では印刷要としたのに、画像形成装置２００では印刷不要とする場合、逆に、ユーザー端末３００では印刷不要としたのに、画像形成装置２００では印刷要とする場合）、その旨を警告として表示してもよい。
また、画像形成装置２００、ユーザー端末３００による選択処理は、画像処理装置１００の制御によって行われるようにしてもよい。つまり、画像形成装置２００、ユーザー端末３００はユーザーインタフェースして、ユーザーに表示、ユーザーからの操作の受け付けを行うが、著作権処理が必要であるか否かの確認処理、料金の算出処理は、画像処理装置１００が行うようにしてもよい。
【０１７８】
図２５を参照して、本実施の形態の画像処理装置１００のハードウェア構成例について説明する。図２５に示す構成は、例えばパーソナルコンピュータ等によって構成されるものであり、スキャナ等のデータ読み取り部２５１７と、プリンタ等のデータ出力部２５１８を備えたハードウェア構成例を示している。
【０１７９】
ＣＰＵ（Ｃｅｎｔｒａｌ  Ｐｒｏｃｅｓｓｉｎｇ  Ｕｎｉｔの略）２５０１は、前述の実施の形態において説明した各種のモジュール、すなわち、通信モジュール１０５、通信関連処理モジュール１１０、文書取得モジュール１１５、著作権情報取得モジュール１２０、利用条件提示モジュール１２５、利用要否受付モジュール１３０、料金提示モジュール１３５、決済確認モジュール１４０、出力モジュール１４５、抽出モジュール１５５、要素抽出モジュール１６０、利用条件抽出モジュール１６５、加工処理モジュール１７０等の各モジュールの実行シーケンスを記述したコンピュータ・プログラムにしたがった処理を実行する制御部である。
【０１８０】
ＲＯＭ（Ｒｅａｄ  Ｏｎｌｙ  Ｍｅｍｏｒｙの略）２５０２は、ＣＰＵ２５０１が使用するプログラムや演算パラメータ等を格納する。ＲＡＭ（Ｒａｎｄｏｍ  Ａｃｃｅｓｓ  Ｍｅｍｏｒｙの略）２５０３は、ＣＰＵ２５０１の実行において使用するプログラムや、その実行において適宜変化するパラメータ等を格納する。これらはＣＰＵバス等から構成されるホストバス２５０４により相互に接続されている。
【０１８１】
ホストバス２５０４は、ブリッジ２５０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅの略）バス等の外部バス２５０６に接続されている。
【０１８２】
キーボード２５０８、マウス等のポインティングデバイス２５０９は、操作者により操作されるデバイスである。ディスプレイ２５１０は、液晶表示装置又はＣＲＴ（Ｃａｔｈｏｄｅ  Ｒａｙ  Ｔｕｂｅの略）等があり、各種情報をテキストやイメージ情報として表示する。また、ポインティングデバイス２５０９とディスプレイ２５１０の両方の機能を備えているタッチスクリーン等であってもよい。その場合、キーボードの機能の実現について、キーボード２５０８のように物理的に接続しなくても、画面（例えば、タッチスクリーン）上にソフトウェアでキーボード（いわゆるソフトウェアキーボード、スクリーンキーボード等ともいわれる）を描画して、キーボードの機能を実現するようにしてもよい。
【０１８３】
ＨＤＤ（Ｈａｒｄ  Ｄｉｓｋ  Ｄｒｉｖｅの略）２５１１は、ハードディスク（ハードディスク以外に、フラッシュ・メモリ等であってもよい）を内蔵し、ハードディスクを駆動し、ＣＰＵ２５０１によって実行するプログラムや情報を記録又は再生させる。ＨＤＤ２５１１は、文書記憶モジュール１５０等としての機能を実現させる。さらに、その他の各種データ、各種コンピュータ・プログラム等が格納される。
【０１８４】
ドライブ２５１２は、装着されている磁気ディスク、光ディスク、光磁気ディスク、又は半導体メモリ等のリムーバブル記録媒体２５１３に記録されているデータ又はプログラムを読み出して、そのデータ又はプログラムを、インタフェース２５０７、外部バス２５０６、ブリッジ２５０５、及びホストバス２５０４を介して接続されているＲＡＭ２５０３に供給する。なお、リムーバブル記録媒体２５１３も、データ記録領域として利用可能である。
【０１８５】
接続ポート２５１４は、外部接続機器２５１５を接続するポートであり、ＵＳＢ、ＩＥＥＥ１３９４等の接続部を持つ。接続ポート２５１４は、インタフェース２５０７、及び外部バス２５０６、ブリッジ２５０５、ホストバス２５０４等を介してＣＰＵ２５０１等に接続されている。通信部２５１６は、通信回線に接続され、外部とのデータ通信処理を実行する。データ読み取り部２５１７は、例えばスキャナであり、ドキュメントの読み取り処理を実行する。データ出力部２５１８は、例えばプリンタであり、ドキュメントデータの出力処理を実行する。
【０１８６】
なお、本実施の形態（画像形成装置２００、ユーザー端末３００）としてのプログラムが実行されるコンピュータのハードウェア構成は、図２６に例示するように、一般的なコンピュータであり、具体的にはパーソナルコンピュータ、サーバーとなり得るコンピュータ、携帯情報通信機器等である。つまり、具体例として、処理部（演算部）としてＣＰＵ２６０１を用い、記憶装置としてＲＡＭ２６０２、ＲＯＭ２６０３、ＨＤＤ２６０４を用いている。ＨＤＤ２６０４として、例えば、ＨＤＤ（Ｈａｒｄ  Ｄｉｓｋ  Ｄｒｉｖｅの略）、フラッシュ・メモリであるＳＳＤ（Ｓｏｌｉｄ  Ｓｔａｔｅ  Ｄｒｉｖｅの略）等を用いてもよい。通信モジュール２０５、通信関連処理モジュール２１０、文書取得モジュール２１５、要素・著作権関連情報取得モジュール２２０、料金処理モジュール２２５、出力データ取得モジュール２３０、ユーザーインタフェース処理モジュール２３５、文書ＩＤ受付モジュール２４０、利用条件提示モジュール２４５、要素利用要否受付モジュール２５０、料金提示モジュール２５５、決済モジュール２６０、出力モジュール２６５、印刷モジュール２７０、通信モジュール３０５、通信関連処理モジュール３１０、文書取得モジュール３１５、要素・著作権関連情報取得モジュール３２０、料金処理モジュール３２５、出力モジュール３３０、ユーザーインタフェース処理モジュール３３５、文書指示モジュール３４０、文書・要素・著作権情報提示モジュール３４５、要素利用要否受付モジュール３５０、料金提示モジュール３５５、出力指示受付モジュール３６０等のプログラムを実行するＣＰＵ２６０１と、そのプログラムやデータを記憶するＲＡＭ２６０２と、本コンピュータを起動するためのプログラム等が格納されているＲＯＭ２６０３と、文書、著作権に関する情報、料金に関する情報等を記憶する補助記憶装置であるＨＤＤ２６０４と、キーボード、マウス、タッチスクリーン、マイク、カメラ（視線検知カメラ等を含む）等に対する利用者の操作（動作、音声、視線等を含む）に基づいてデータを受け付ける受付装置２６０６と、ＣＲＴ、液晶ディスプレイ、スピーカー等の出力装置２６０５と、ネットワークインタフェースカード等の通信ネットワークと接続するための通信回線インタフェース２６０７、そして、それらをつないでデータのやりとりをするためのバス２６０８により構成されている。これらのコンピュータが複数台互いにネットワークによって接続されていてもよい。
【０１８７】
前述の実施の形態のうち、コンピュータ・プログラムによるものについては、本ハードウェア構成のシステムにソフトウェアであるコンピュータ・プログラムを読み込ませ、ソフトウェアとハードウェア資源とが協働して、前述の実施の形態が実現される。
なお、図２５、図２６に示すハードウェア構成は、１つの構成例を示すものであり、本実施の形態は、図２５、図２６に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）や再構成可能な集積回路（ｆｉｅｌｄ−ｐｒｏｇｒａｍｍａｂｌｅ  ｇａｔｅ  ａｒｒａｙ：ＦＰＧＡ）等）で構成してもよく、一部のモジュールは外部のシステム内にあり通信回線で接続している形態でもよく、さらに図２５、図２６に示すシステムが複数互いに通信回線によって接続されていて互いに協調動作するようにしてもよい。また、特に、パーソナルコンピュータの他、携帯情報通信機器（携帯電話、スマートフォン、モバイル機器、ウェアラブルコンピュータ等を含む）、情報家電、ロボット、複写機、ファックス、スキャナ、プリンタ、複合機（スキャナ、プリンタ、複写機、ファックス等のいずれか２つ以上の機能を有している画像処理装置）などに組み込まれていてもよい。
【０１８８】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌの略）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分若しくは全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【０１８９】
１００…画像処理装置
１０５…通信モジュール
１１０…通信関連処理モジュール
１１５…文書取得モジュール
１２０…著作権情報取得モジュール
１２５…利用条件提示モジュール
１３０…利用要否受付モジュール
１３５…料金提示モジュール
１４０…決済確認モジュール
１４５…出力モジュール
１５０…文書記憶モジュール
１５５…抽出モジュール
１６０…要素抽出モジュール
１６５…利用条件抽出モジュール
１７０…加工処理モジュール
２００…画像形成装置
２０５…通信モジュール
２１０…通信関連処理モジュール
２１５…文書取得モジュール
２２０…要素・著作権関連情報取得モジュール
２２５…料金処理モジュール
２３０…出力データ取得モジュール
２３５…ユーザーインタフェース処理モジュール
２４０…文書ＩＤ受付モジュール
２４５…利用条件提示モジュール
２５０…要素利用要否受付モジュール
２５５…料金提示モジュール
２６０…決済モジュール
２６５…出力モジュール
２７０…印刷モジュール
３００…ユーザー端末
３０５…通信モジュール
３１０…通信関連処理モジュール
３１５…文書取得モジュール
３２０…要素・著作権関連情報取得モジュール
３２５…料金処理モジュール
３３０…出力モジュール
３３５…ユーザーインタフェース処理モジュール
３４０…文書指示モジュール
３４５…文書・要素・著作権情報提示モジュール
３５０…要素利用要否受付モジュール
３５５…料金提示モジュール
３６０…出力指示受付モジュール
４００…Ｗｅｂサーバー
４１０…著作権管理装置
４５０…ユーザー
４７０…店舗
４９０…通信回線
【図１】
2020198015.tif 000003
【図２】
2020198015.tif 000004
【図３】
2020198015.tif 000005
【図４】
2020198015.tif 000006
【図５】
2020198015.tif 000007
【図６】
2020198015.tif 000008
【図７】
2020198015.tif 000009
【図８】
2020198015.tif 000010
【図９】
2020198015.tif 000011
【図１０】
2020198015.tif 000012
【図１１】
2020198015.tif 000013
【図１２】
2020198015.tif 000014
【図１３】
2020198015.tif 000015
【図１４】
2020198015.tif 000016
【図１５】
2020198015.tif 000017
【図１６】
2020198015.tif 000018
【図１７Ａ】
2020198015.tif 000019
【図１７Ｂ】
2020198015.tif 000020
【図１８】
2020198015.tif 000021
【図１９】
2020198015.tif 000022
【図２０】
2020198015.tif 000023
【図２１】
2020198015.tif 000024
【図２２】
2020198015.tif 000025
【図２３】
2020198015.tif 000026
【図２４】
2020198015.tif 000027
【図２５】
2020198015.tif 000028
【図２６】
2020198015.tif 000029